(57)【要約】【課題】複製先の記録媒体の容量を効率良く利用することができると共に、ユーザにとって利便性を向上させることができる方法を提供する。【解決手段】本編情報の前または後の区間に本編情報以外の特定情報が挿入される状態が可とされている情報信号が記録された第１の記録媒体から、前記情報信号を第２の記録媒体に複製記録する情報信号の複製記録方法である。複製元の第１の記録媒体には、情報信号から検出された特定情報の区間についての付加情報が、情報信号に対応付けられて記録されている。複製先の第２の記録媒体には、前記付加情報を用いて、情報信号は、本編情報と特定シーン区間の情報とが分離されて記録される。ダビング記録時に、第２の記録媒体の空き容量が小さいので、情報信号の全体がダビングできないと判別されたとき、ユーザの確認許可の下に、特定シーン区間を除く本編情報のみのダビング記録を行なう。【選択図】図１
2007142714.tif 000002
【特許請求の範囲】
【請求項１】
本編情報の前または後の区間に、前記本編情報以外の特定情報が挿入される状態が可とされている情報信号が記録された第１の記録媒体から、前記情報信号を第２の記録媒体に複製記録する情報信号の複製記録方法において、
前記複製記録に先立ち、前記第１の記録媒体に記録された前記情報信号について、前記情報信号から前記特定情報の区間を検出し、検出された前記特定情報の区間についての付加情報を、前記情報信号に対応付けて、前記第１の記録媒体に記録する付加情報記録工程を行なうと共に、
複製記録すべき前記情報信号が指定され、その指定された前記情報信号についての複製記録の開始指示があったときに、
前記付加情報に基づいて、前記第１の記録媒体から、前記指定された前記情報信号の前記特定情報を除く前記本編情報のみを前記第２の記録媒体に複製記録する本編情報複製記録工程と、
前記付加情報に基づいて、前記第１の記録媒体から、前記指定された前記情報信号の前記特定情報のみを複製記録する特定情報複製記録工程と、
前記本編情報複製記録工程の終了後、前記除かれた特定情報の区間の位置情報を、複製付加情報として前記第２の記録媒体に、前記本編情報複製記録工程で記録された本編情報に対応付けて記録する複製付加情報記録工程と、
を行なうものであって、
前記付加情報記録工程は、
前記情報信号について特徴量を検出し、検出された前記特徴量を用いて、前記本編情報と前記特定情報との区切りを検出して前記特定情報の区間を検出する特定情報区間検出工程と、
前記特定情報区間検出工程で検出された前記特定情報の区間毎に、当該特定情報の区間の前記特徴量に基づいて前記特定情報の区間の識別子を付与する識別子付与工程と、
前記特定情報区間検出工程で検出された前記特定情報の区間の前記情報信号中の存在位置の情報と、前記識別子付与工程で付与された前記特定情報の区間の識別子とを、前記付加情報として前記第１の記録媒体に記録する付加情報記録実行工程と、
を備え、
前記複製付加情報記録工程では、前記特定情報の区間毎の前記識別子と、前記特定情報の区間の位置情報とを対応付けて記録し、
前記特定情報複製記録工程においては、前記付加情報を参照して、前記識別子が同じ前記特定情報の区間の情報は、一つのみを記録する
ことを特徴とする情報信号の複製記録方法。
【請求項２】
請求項１に記載の情報信号の複製記録方法において、
前記複製付加情報記録工程において、前記指定された情報信号のそれぞれに付いて前記複製付加情報を記録すると共に、
前記特定情報複製記録工程においては、前記指定された情報信号のそれぞれの付加情報を参照して、前記指定された情報信号のそれぞれについて前記識別子が同じ前記特定情報の区間の情報は、一つのみを記録する
ことを特徴とする情報信号の複製記録方法。
【請求項３】
請求項１に記載の情報信号の複製記録方法において、
前記指定された情報信号が複数個であるときに、前記複製付加情報記録工程において、前記指定された複数個の情報信号のそれぞれに付いて前記複製付加情報を記録すると共に、前記特定情報複製記録工程においては、前記指定された複数個の情報信号のそれぞれの付加情報を参照して、前記指定された複数個の情報信号に対して前記識別子が同じ前記特定情報の区間の情報は、一つのみを記録する
ことを特徴とする情報信号の複製記録方法。
【請求項４】
請求項１に記載の情報信号の複製記録方法において、
前記複製記録に先立ち、前記指定された情報信号について、前記特定情報を含む第１のデータ量と、前記特定情報を含まない第２のデータ量とを算出すると共に、前記第２の記録媒体の空き容量を算出するデータ量算出工程と、
前記データ量算出工程で算出された前記第２の記録媒体の空き容量と、前記第１のデータ量および前記第２のデータ量とを比較し、前記空き容量が前記第１のデータ量よりは小さいが、前記第２のデータ量よりも大きいときに、複製記録を実行するか否かをユーザに問い合わせる問い合わせ工程と、
前記問い合わせに対して、前記ユーザから前記複製記録を実行する旨の指示を受けたときに、前記特定情報複製記録工程は行なわないようにする複製制御工程と、
を備えることを特徴とする情報信号の複製記録方法。
【請求項５】
請求項１に記載の情報信号の複製記録方法において、
前記複製記録に先立ち、前記指定された情報信号について、前記特定情報を含む第１のデータ量を算出すると共に、前記第２の記録媒体の空き容量を算出するデータ量算出工程と、
前記データ量算出工程で算出された前記第２の記録媒体の空き容量と、前記第１のデータ量とを比較し、前記空き容量が前記第１のデータ量よりは小さいときに、前記指定された情報信号について前記本編情報と、前記特定情報の区間の情報とを分けてリスト表示して、ユーザによる前記複製記録対象の再指定を受け付けるようにする再指定受付工程と、
前記再指定受付工程で受け付けられた再指定により指定された複製記録対象情報の第２のデータ量を算出する再データ量算出工程と、
前記空き容量が前記第１のデータ量よりは小さいが、前記第２のデータ量よりも大きいときに、複製記録を実行するか否かをユーザに問い合わせる問い合わせ工程と、
前記問い合わせに対して、前記ユーザから前記複製記録を実行する旨の指示を受けたときに、前記再指定受付工程で再指定された前記複製記録対象情報に含まれる前記本編情報および前記特定情報のみの複製記録を、前記本編情報複製記録工程および前記特定情報複製記録工程において行なわせるようにする複製制御工程と、
を備えることを特徴とする情報信号の複製記録方法。
【請求項６】
本編情報の前または後の区間に、前記本編情報以外の特定情報が挿入される状態が可とされている情報信号を第１の記録媒体に記録し、前記第１の記録媒体から前記記録された前記情報信号を第２の記録媒体に複製記録する情報信号の複製記録方法において、
前記第１の記録媒体への複製元の情報信号の記録は、
前記情報信号を前記第１の記録媒体に記録する情報信号記録工程と、
前記情報信号記録工程と並行して前記情報信号について特徴量を検出し、検出された前記特徴量を用いて、前記本編情報と前記特定情報との区切りを検出して前記特定情報の区間の位置情報を検出する特定情報区間検出工程と、
前記特定区間検出工程で検出された前記特徴量に基づいて前記特定情報の区間毎に識別子を付与し、前記特定情報の区間毎の前記識別子と、前記特定情報の区間の位置情報とを対応付けて記憶する識別子付与工程と、
前記情報信号記録工程の終了後、前記識別子付与工程で記憶されていた前記特定情報の区間の位置情報に基づいて、前記第１の記録媒体に記録された前記情報信号から前記特定情報を除いた前記本編情報のみを前記第１の記録媒体に記録する本編情報記録工程と、
前記情報信号記録工程の終了後、前記一時記憶されていた前記特定情報の区間の位置情報に基づいて、前記第１の記録媒体に記録された前記情報信号から前記特定情報のみを前記第１の記録媒体に記録する特定情報記録工程と、
前記記憶されていた前記特定情報の区間の前記識別子と、対応する前記特定情報の区間の前記情報信号における位置情報と、前記特定情報の前記第１の記録媒体における記録位置情報を含む付加情報とを、前記情報信号に対応付けて、前記第１の記録媒体に記録する付加情報記録工程と、
により行ない、
複製記録すべき前記情報信号が指定され、その指定された前記情報信号についての複製記録の開始指示があったときに、
前記第１の記録媒体から、前記指定された前記情報信号の前記本編情報を前記第２の記録媒体に複製記録する本編情報複製記録工程と、
前記指定された前記情報信号についての前記付加情報に基づいて、前記第１の記録媒体から、前記指定された前記情報信号の前記特定情報を複製記録する特定情報複製記録工程と、
前記本編情報複製記録工程の終了後、前記特定情報複製記録工程で記録された前記特定情報の区間の、前記本編情報における位置情報と前記識別子とを対応付けた複製付加情報を、前記第２の記録媒体に、前記本編情報複製記録工程で記録された本編情報に対応付けて記録する複製付加情報記録工程と、
を行なうものであって、
前記特定情報複製記録工程において記録される前記特定情報の区間の情報は、前記識別子が同じ前記特定情報の区間の情報は、一つとする
ことを特徴とする情報信号の複製記録方法。
【請求項７】
請求項６に記載の情報信号の複製記録方法において、
前記特定情報記録工程では、前記識別子付与工程で記憶されていた前記特定情報の工程毎の識別子と、前記特定情報の区間の位置情報とから、前記識別子が同じ前記特定情報の区間の情報は、一つのみを記録し、
前記特定情報複製記録工程では、前記特定情報記録工程で記録された前記特定情報の区間の情報を、複製記録する
ことを特徴とする情報信号の複製記録方法。
【請求項８】
請求項６に記載の情報信号の複製記録方法において、
前記複製記録に先立ち、前記指定された情報信号について、前記特定情報を含む第１のデータ量と、前記特定情報を含まない第２のデータ量とを算出すると共に、前記第２の記録媒体の空き容量を算出するデータ量算出工程と、
前記データ量算出工程で算出された前記第２の記録媒体の空き容量と、前記第１のデータ量および前記第２のデータ量とを比較し、前記空き容量が前記第１のデータ量よりは小さいが、前記第２のデータ量よりも大きいときに、複製記録を実行するか否かをユーザに問い合わせる問い合わせ工程と、
前記問い合わせに対して、前記ユーザから前記複製記録を実行する旨の指示を受けたときに、前記特定情報記録工程は行なわないようにする複製制御工程と、
を備えることを特徴とする情報信号の複製記録方法。
【請求項９】
請求項６に記載の情報信号の複製記録方法において、
前記複製記録に先立ち、前記指定された情報信号について、前記特定情報を含む第１のデータ量を算出すると共に、前記第２の記録媒体の空き容量を算出するデータ量算出工程と、
前記データ量算出工程で算出された前記第２の記録媒体の空き容量と、前記第１のデータ量とを比較し、前記空き容量が前記第１のデータ量よりは小さいときに、前記指定された情報信号について前記本編情報と、前記特定情報の区間の情報とを分けてリスト表示して、ユーザによる前記複製記録対象の再指定を受け付けるようにする再指定受付工程と、
前記再指定受付工程で受け付けられた再指定により指定された複製記録対象情報の第２のデータ量を算出する再データ量算出工程と、
前記空き容量が前記第１のデータ量よりは小さいが、前記第２のデータ量よりも大きいときに、複製記録を実行するか否かをユーザに問い合わせる問い合わせ工程と、
前記問い合わせに対して、前記ユーザから前記複製記録を実行する旨の指示を受けたときに、前記再指定受付工程で再指定された前記複製記録対象情報に含まれる前記本編情報および前記特定情報のみの複製記録を、前記本編情報記録工程および前記特定情報記録工程において行なわせるようにする複製制御工程と、
を備えることを特徴とする情報信号の複製記録方法。
【請求項１０】
本編情報の前または後の区間に、前記本編情報以外の特定情報が挿入される状態が可とされている情報信号を第１の記録媒体に記録し、前記第１の記録媒体から前記記録された前記情報信号を第２の記録媒体に複製記録する情報信号の複製記録方法において、
前記複製記録に先立ち、前記第１の記録媒体に記録された前記情報信号について、前記情報信号から前記特定情報の区間を検出し、検出された前記特定情報の区間の存在位置情報を付加情報として、前記情報信号に対応付けて、前記第１の記録媒体に記録する付加情報記録工程と、
複製記録すべき前記情報信号が指定され、その複製記録の開始指示があったときに、前記付加情報に基づいて、前記第１の記録媒体から、前記指定された前記情報信号の前記特定情報を除く前記本編情報のみを前記第２の記録媒体に複製記録する本編情報記録工程と、
前記本編情報記録工程の終了後、前記付加情報に基づいて、前記第１の記録媒体から、前記指定された前記情報信号の前記特定情報のみを抽出して記録する特定情報記録工程と、
前記複製記録に先立ち、前記指定された情報信号について、前記特定情報を含む第１のデータ量と、前記特定情報を含まない第２のデータ量とを算出すると共に、前記第２の記録媒体の空き容量を算出するデータ量算出工程と、
前記データ量算出工程で算出された前記第２の記録媒体の空き容量と、前記第１のデータ量および前記第２のデータ量とを比較し、前記空き容量が前記第１のデータ量よりは小さいが、前記第２のデータ量よりも大きいときに、複製記録を実行するか否かをユーザに問い合わせる問い合わせ工程と、
前記問い合わせに対して、前記ユーザから前記複製記録を実行する旨の指示を受けたときに、前記特定情報記録工程を行なわないようにする複製制御工程と、
を備えることを特徴とする情報信号の複製記録方法。
【請求項１１】
本編情報の前または後の区間に、前記本編情報以外の特定情報が挿入される状態が可とされている情報信号を第１の記録媒体に記録し、前記第１の記録媒体から前記記録された前記情報信号を第２の記録媒体に複製記録する情報信号の複製記録方法において、
前記複製記録に先立ち、前記第１の記録媒体に記録された前記情報信号について、前記情報信号から前記特定情報の区間を検出し、検出された前記特定情報の区間の存在位置情報を付加情報として、前記情報信号に対応付けて、前記第１の記録媒体に記録する付加情報記録工程と、
複製記録すべき前記情報信号が指定され、その複製記録の開始指示があったときに、前記付加情報に基づいて、前記第１の記録媒体から、前記指定された前記情報信号の前記特定情報を除く前記本編情報のみを前記第２の記録媒体に複製記録する本編情報記録工程と、
前記本編情報記録工程の終了後、前記付加情報に基づいて、前記第１の記録媒体から、前記指定された前記情報信号の前記特定情報のみを抽出して記録する特定情報記録工程と、
前記複製記録に先立ち、前記指定された情報信号について、前記特定情報を含む第１のデータ量を算出すると共に、前記第２の記録媒体の空き容量を算出するデータ量算出工程と、
前記データ量算出工程で算出された前記第２の記録媒体の空き容量と、前記第１のデータ量とを比較し、前記空き容量が前記第１のデータ量よりは小さいときに、前記指定された情報信号について前記本編情報と、前記特定情報の区間の情報とを分けてリスト表示して、ユーザによる前記複製記録対象の再指定を受け付けるようにする再指定受付工程と、
前記再指定受付工程で受け付けられた再指定により指定された複製記録対象情報の第２のデータ量を算出する再データ量算出工程と、
前記空き容量が前記第１のデータ量よりは小さいが、前記第２のデータ量よりも大きいときに、複製記録を実行するか否かをユーザに問い合わせる問い合わせ工程と、
前記問い合わせに対して、前記ユーザから前記複製記録を実行する旨の指示を受けたときに、前記再指定受付工程で再指定された前記複製記録対象情報に含まれる前記本編情報および前記特定情報のみの複製記録を、前記本編情報記録工程および前記特定情報記録工程において行なわせるようにする複製制御工程と、
を備えることを特徴とする情報信号の複製記録方法。
【請求項１２】
本編情報の前または後の区間に、前記本編情報以外の特定情報が挿入される状態が可とされている情報信号を第１の記録媒体に記録し、前記第１の記録媒体から前記記録された前記情報信号を第２の記録媒体に複製記録する情報信号の複製記録方法において、
前記第１の記録媒体への複製元の情報信号の記録は、
前記情報信号を前記第１の記録媒体に記録する情報信号記録工程と、
前記情報信号記録工程と並行して前記情報信号について特徴量を検出し、検出された前記特徴量を用いて、前記本編情報と前記特定情報との区切りを検出して前記特定情報の区間の位置情報を検出する特定情報区間検出工程と、
前記特定区間検出工程で検出された前記特徴量に基づいて前記特定情報の区間毎に識別子を付与し、前記特定情報の区間毎の前記識別子と、前記特定情報の区間の位置情報とを対応付けて記憶する識別子付与工程と、
前記記憶されていた前記特定情報の区間の前記識別子と、対応する前記特定情報の区間の前記情報信号における位置情報とを、前記情報信号に対応付けて、前記第１の記録媒体に記録する付加情報記録工程と、
により行ない、
複製記録すべき前記情報信号が指定され、その指定された前記情報信号についての複製記録の開始指示があったときに、
前記第１の記録媒体から、前記指定された前記情報信号を前記第２の記録媒体に複製記録するが、前記付加情報に基づいて、前記情報信号の前記特定情報の区間を判定し、前記本編情報の前または後の区間には、少なくとも前記特定情報の区間の一つは残すようにして、前記情報信号を第２の記録媒体に複製記録する情報信号複製記録工程と、
前記情報信号複製記録工程の後、前記特定情報の区間の情報を、前記付加情報に基づいて、前記第１の記録媒体からの前記情報信号から抽出して、前記第２の記録媒体に複製記録するものであって、前記付加情報を参照して、前記識別子が同じ前記特定情報の区間の情報は、一つのみを記録する特定情報複製記録工程と、
前記特定情報複製記録工程で記録された前記特定情報の区間の、前記情報信号における位置情報と前記識別子とを対応付けた複製付加情報を、前記第２の記録媒体に、前記情報信号複製記録工程で記録された情報信号に対応付けて記録する複製付加情報記録工程と、
を行なうことを特徴とする情報信号の複製記録方法。
【請求項１３】
請求項１２に記載の情報信号の複製記録方法において、
前記複製記録に先立ち、前記指定された情報信号のデータ量である第１のデータ量と、について、前記情報信号複製工程で複製したときの複製後の第２のデータ量とを算出すると共に、前記第２の記録媒体の空き容量を算出するデータ量算出工程と、
前記データ量算出工程で算出された前記第２の記録媒体の空き容量と、前記第１のデータ量および前記第２のデータ量とを比較し、前記空き容量が前記第１のデータ量よりは小さいが、前記第２のデータ量よりも大きいときに、複製記録を実行するか否かをユーザに問い合わせる問い合わせ工程と、
前記問い合わせに対して、前記ユーザから前記複製記録を実行する旨の指示を受けたときに、前記特定情報複製記録工程は行なわないようにする複製制御工程と、
を備えることを特徴とする情報信号の複製記録方法。
【請求項１４】
請求項１２に記載の情報信号の複製記録方法において、
前記情報信号複製記録工程で残す少なくとも１個の特定情報の区間は、前記識別子付与工程で付与された識別子が異なるものが優先される
ことを特徴とする情報信号の複製記録方法。
【請求項１５】
本編情報の前または後の区間に、前記本編情報以外の特定情報が挿入される状態が可とされている情報信号が記録された第１の記録媒体から、前記情報信号を第２の記録媒体に複製記録する情報信号の複製記録装置において、
前記第１の記録媒体に記録された前記情報信号について、前記情報信号から前記特定情報の区間を検出し、検出された前記特定情報の区間についての付加情報を、前記情報信号に対応付けて、前記第１の記録媒体に記録する付加情報記録手段と、
ユーザからの複製記録すべき前記情報信号の指定を受け付ける複製対象情報信号の指定受付手段と、
前記指定受付手段で受け付けられた前記複製対象情報信号についての複製記録の開始指示を受け付ける複製開始指示受付手段と、
前記複製記録の開始指示に基づいて開始し、前記付加情報に基づいて、前記第１の記録媒体から、前記指定された前記情報信号の前記特定情報を除く前記本編情報のみを前記第２の記録媒体に複製記録する本編情報複製記録手段と、
前記複製記録の開始指示に基づいて開始し、前記付加情報に基づいて、前記第１の記録媒体から、前記指定された前記情報信号の前記特定情報のみを複製記録する特定情報複製記録手段と、
前記除かれた特定情報の区間の位置情報を、複製付加情報として前記第２の記録媒体に、前記本編情報複製記録手段で記録された本編情報に対応付けて記録する複製付加情報記録手段と、
を備えるものであって、
前記付加情報記録手段は、
前記情報信号について特徴量を検出し、検出された前記特徴量を用いて、前記本編情報と前記特定情報との区切りを検出して前記特定情報の区間を検出する特定情報区間検出手段と、
前記特定情報区間検出手段で検出された前記特定情報の区間毎に、当該特定情報の区間の前記特徴量に基づいて前記特定情報の区間の識別子を付与する識別子付与手段と、
前記特定情報区間検出手段で検出された前記特定情報の区間の前記情報信号中の存在位置の情報と、前記識別子付与工程で付与された前記特定情報の区間の識別子とを、前記付加情報として前記第１の記録媒体に記録する付加情報記録実行手段と、
を備え、
前記複製付加情報記録手段では、前記特定情報の区間毎の前記識別子と、前記特定情報の区間の位置情報とを対応付けて記録し、
前記特定情報複製記録手段においては、前記付加情報を参照して、前記識別子が同じ前記特定情報の区間の情報は、一つのみを記録する
ことを特徴とする情報信号の複製記録装置。
【請求項１６】
本編情報の前または後の区間に、前記本編情報以外の特定情報が挿入される状態が可とされている情報信号を第１の記録媒体に記録する複製元記録手段と、
ユーザからの複製記録すべき前記情報信号の指定を受け付ける複製対象情報信号の指定受付手段と、
前記指定受付手段で受け付けられた前記複製対象情報信号についての複製記録の開始指示を受け付ける複製開始指示受付手段と、
前記複製記録の開始指示に基づいて開始し、前記第１の記録媒体から前記記録された前記情報信号を第２の記録媒体に複製記録する情報信号の複製記録手段と、
を備える記録再生装置において、
前記複製元記録手段は、
前記情報信号を前記第１の記録媒体に記録する情報信号記録手段と、
前記情報信号について特徴量を検出し、検出された前記特徴量を用いて、前記本編情報と前記特定情報との区切りを検出して前記特定情報の区間の位置情報を検出する特定情報区間検出手段と、
前記特定区間検出手段で検出された前記特徴量に基づいて前記特定情報の区間毎に識別子を付与し、前記特定情報の区間毎の前記識別子と、前記特定情報の区間の位置情報とを対応付けて記憶する識別子付与手段と、
前記識別子付与手段で記憶されていた前記特定情報の区間の位置情報に基づいて、前記第１の記録媒体に記録された前記情報信号から前記特定情報を除いた前記本編情報のみを前記第１の記録媒体に記録する本編情報記録手段と、
前記記憶されていた前記特定情報の区間の位置情報に基づいて、前記第１の記録媒体に記録された前記情報信号から前記特定情報のみを前記第１の記録媒体に記録する特定情報記録手段と、
前記記憶されていた前記特定情報の区間の前記識別子と、対応する前記特定情報の区間の前記情報信号における位置情報と、前記特定情報の前記第１の記録媒体における記録位置情報を含む付加情報とを、前記情報信号に対応付けて、前記第１の記録媒体に記録する付加情報記録手段と、
を備え、
前記情報信号の複製記録手段は、
前記第１の記録媒体から、前記指定された前記情報信号の前記本編情報を前記第２の記録媒体に複製記録する本編情報複製記録手段と、
前記指定された前記情報信号についての前記付加情報に基づいて、前記第１の記録媒体から、前記指定された前記情報信号の前記特定情報を複製記録する特定情報複製記録手段と、
前記特定情報複製記録手段により記録された前記特定情報の区間の、前記本編情報における位置情報と前記識別子とを対応付けた複製付加情報を、前記第２の記録媒体に、前記本編情報複製記録手段により記録された本編情報に対応付けて記録する複製付加情報記録手段と、
を備え、前記特定情報複製記録手段において記録される前記特定情報の区間の情報は、前記識別子が同じ前記特定情報の区間の情報は、一つとする
ことを特徴とする情報信号の記録再生装置。
【請求項１７】
本編情報の前または後の区間に、前記本編情報以外の特定情報が挿入される状態が可とされている情報信号が記録された第１の記録媒体から、前記情報信号を第２の記録媒体に複製記録する情報信号の複製記録装置において、
前記第１の記録媒体に記録された前記情報信号について、前記情報信号から前記特定情報の区間を検出し、検出された前記特定情報の区間の存在位置情報を付加情報として、前記情報信号に対応付けて、前記第１の記録媒体に記録する付加情報記録手段と、
ユーザからの複製記録すべき前記情報信号の指定を受け付ける複製対象情報信号の指定受付手段と、
前記指定受付手段で受け付けられた前記複製対象情報信号についての複製記録の開始指示を受け付ける複製開始指示受付手段と、
前記複製記録の開始指示に基づいて開始し、前記付加情報に基づいて、前記第１の記録媒体から、前記指定された前記情報信号の前記特定情報を除く前記本編情報のみを前記第２の記録媒体に複製記録する本編情報複製記録手段と、
前記複製記録の開始指示に基づいて開始し、前記付加情報に基づいて、前記第１の記録媒体から、前記指定された前記情報信号の前記特定情報のみを複製記録する特定情報複製記録手段と、
前記指定された情報信号について、前記特定情報を含む第１のデータ量と、前記特定情報を含まない第２のデータ量とを算出すると共に、前記第２の記録媒体の空き容量を算出するデータ量算出手段と、
前記データ量算出手段で算出された前記第２の記録媒体の空き容量と、前記第１のデータ量および前記第２のデータ量とを比較し、前記空き容量が前記第１のデータ量よりは小さいが、前記第２のデータ量よりも大きいときに、複製記録を実行するか否かをユーザに問い合わせる問い合わせ手段と、
前記問い合わせに対して、前記ユーザから前記複製記録を実行する旨の指示を受けたときに、前記特定情報の複製記録を行なわないように、前記特定情報複製記録手段を制御する複製制御手段と、
を備えることを特徴とする情報信号の複製記録装置。
【請求項１８】
本編情報の前または後の区間に、前記本編情報以外の特定情報が挿入される状態が可とされている情報信号が記録された第１の記録媒体から、前記情報信号を第２の記録媒体に複製記録する情報信号の複製記録装置において、
前記第１の記録媒体に記録された前記情報信号について、前記情報信号から前記特定情報の区間を検出し、検出された前記特定情報の区間の存在位置情報を付加情報として、前記情報信号に対応付けて、前記第１の記録媒体に記録する付加情報記録手段と、
ユーザからの複製記録すべき前記情報信号の指定を受け付ける複製対象情報信号の指定受付手段と、
前記指定受付手段で受け付けられた前記複製対象情報信号についての複製記録の開始指示を受け付ける複製開始指示受付手段と、
前記複製記録の開始指示に基づいて開始し、前記付加情報に基づいて、前記第１の記録媒体から、前記指定された前記情報信号の前記特定情報を除く前記本編情報のみを前記第２の記録媒体に複製記録する本編情報複製記録手段と、
前記複製記録の開始指示に基づいて開始し、前記付加情報に基づいて、前記第１の記録媒体から、前記指定された前記情報信号の前記特定情報のみを複製記録する特定情報複製記録手段と、
前記指定された情報信号について、前記特定情報を含む第１のデータ量を算出すると共に、前記第２の記録媒体の空き容量を算出するデータ量算出手段と、
前記データ量算出手段で算出された前記第２の記録媒体の空き容量と、前記第１のデータ量とを比較し、前記空き容量が前記第１のデータ量よりは小さいときに、前記指定された情報信号について前記本編情報と、前記特定情報の区間の情報とを分けてリスト表示して、ユーザによる前記複製記録対象の再指定を受け付けるようにする再指定受付手段と、
前記再指定受付手段で受け付けられた再指定により指定された複製記録対象情報の第２のデータ量を算出する再データ量算出手段と、
前記再データ量算出手段での算出の結果、前記空き容量が前記第１のデータ量よりは小さいが、前記第２のデータ量よりも大きいときに、複製記録を実行するか否かをユーザに問い合わせる問い合わせ手段と、
前記問い合わせに対して、前記ユーザから前記複製記録を実行する旨の指示を受けたときに、前記再指定受付手段で再指定された前記複製記録対象情報に含まれる前記本編情報および前記特定情報のみの複製記録を、前記本編情報記録手段および前記特定情報記録手段により行なわせるように制御する複製制御手段と、
を備えることを特徴とする情報信号の複製記録装置。
【請求項１９】
本編情報の前または後の区間に、前記本編情報以外の特定情報が挿入される状態が可とされている情報信号を第１の記録媒体に記録する複製元記録手段と、
ユーザからの複製記録すべき前記情報信号の指定を受け付ける複製対象情報信号の指定受付手段と、
前記指定受付手段で受け付けられた前記複製対象情報信号についての複製記録の開始指示を受け付ける複製開始指示受付手段と、
前記複製記録の開始指示に基づいて開始し、前記第１の記録媒体から前記記録された前記情報信号を第２の記録媒体に複製記録する情報信号の複製記録手段と、
を備える記録再生装置において、
前記複製元記録手段は、
前記情報信号を前記第１の記録媒体に記録する情報信号記録手段と、
前記情報信号について特徴量を検出し、検出された前記特徴量を用いて、前記本編情報と前記特定情報との区切りを検出して前記特定情報の区間の位置情報を検出する特定情報区間検出手段と、
前記特定区間検出手段で検出された前記特徴量に基づいて前記特定情報の区間毎に識別子を付与し、前記特定情報の区間毎の前記識別子と、前記特定情報の区間の位置情報とを対応付けて記憶する識別子付与手段と、
前記識別子付与手段で記憶されていた前記特定情報の区間の前記識別子と、対応する前記特定情報の区間の前記情報信号における位置情報とを、前記情報信号に対応付けて、前記第１の記録媒体に記録する付加情報記録手段と、
を備え、
前記情報信号の複製記録手段は、
前記第１の記録媒体から、前記指定された前記情報信号を前記第２の記録媒体に複製記録するが、前記付加情報に基づいて、前記情報信号の前記特定情報の区間を判定し、前記本編情報の前または後の区間には、少なくとも前記特定情報の区間の一つは残すようにして、前記情報信号を第２の記録媒体に複製記録する情報信号複製記録手段と、
前記情報信号複製記録手段で複製記録しなかった前記特定情報の区間の情報を、前記付加情報に基づいて、前記第１の記録媒体からの前記情報信号から抽出して、前記第２の記録媒体に複製記録する特定情報複製記録手段と、
前記特定情報複製記録手段で記録された前記特定情報の区間の、前記情報信号における位置情報と前記識別子とを対応付けた複製付加情報を、前記第２の記録媒体に、前記情報信号複製記録工程で記録された情報信号に対応付けて記録する複製付加情報記録手段と、
を備えることを特徴とする情報信号の記録再生装置。
【発明の詳細な説明】
【技術分野】
【０００１】
この発明は、例えばテレビ放送番組等のように、番組本編情報と番組本編情報の間の区間や番組本編情報の前または後に、番組宣伝やコマーシャルメッセージ（以下、ＣＭと略称する）情報などのような本編情報以外の特定情報の区間が、連続して複数個挿入されるのが可とされている情報信号を第１の記録媒体に記録し、この記録した情報を、第２の記録媒体に複製記録するようにする、情報信号の複製記録方法、情報信号の複製記録装置および情報信号の記録再生装置に関する。
【背景技術】
【０００２】
例えばテレビ放送番組などの情報信号をハードディスクやＤＶＤ（Ｄｉｇｉｔａｌ  Ｖｅｒｓａｔｉｌｅ  Ｄｉｓｃ）などの記録媒体に記録し、当該記録したテレビ放送番組を再生する記録再生装置が普及している。
【０００３】
このような記録再生装置の中には、テレビ放送番組などの情報信号はハードディスク等の内蔵する記録媒体に記録し、その後、ＤＶＤなどのリムーバブルな記録媒体に複製記録（以下、ダビングという）する機能を有するものがある。
【０００４】
ところで、テレビ放送などの放送メディアなどにより提供される情報信号には、通常は、放送番組の本編情報と本編情報との間や番組本編情報の前または後に、１または複数個のＣＭや番組宣伝などの番組の本編情報以外の特定情報の区間が挿入されている。本編情報と本編情報との間にも前記特定情報の区間が挿入されるが、本編情報と本編情報との間は、後の本編情報からみれば、本編情報の前である。
【０００５】
上述のような記録再生装置においては、記録したテレビ放送番組などを再生して視聴する場合において、ＣＭ区間や番組宣伝区間などの視聴したくない場面になると、ユーザは、リモートコマンダなどを用いて早送り再生操作をして高速再生することが多々ある。
【０００６】
また、例えば特許文献１（特開２００５−２２３５６６公報）には、再生中に所定のボタンを押下操作すると、現在再生位置から所定時間例えば１５秒後または前のシーンにジャンプ（スキップ）する機能を備えている記録再生装置が記載されている。このようなボタンを備えた記録再生装置の場合には、ユーザは、自分が視聴したくない場面になったときは、当該ボタンを操作することにより、所定時間だけ後の場面にスキップして再生することができる。
【０００７】
このように再生時にＣＭ区間などをスキップする機能があるので、この種の記録再生装置においては、一般的には、本編情報と特定情報とを含む放送番組の情報信号が、複製元である第１の記録媒体に記録される。そして、ダビング時には、本編情報とＣＭ区間などの特定情報の区間とを別々に扱うのではなく、本編情報と特定情報とを含む放送番組の情報信号の形で複製記録するのが一般的である。
【０００８】
上記の先行技術文献は、次の通りである。
【特許文献１】特開２００５−２２３５６６公報
【発明の開示】
【発明が解決しようとする課題】
【０００９】
従来の記録再生装置は、上述のように構成されているため、ユーザがダビング後の情報信号としては不要と考える特定情報の区間がそのまま複製先の記録媒体に記録されてしまうので、複製先の記録媒体の容量を効率的に利用することができないという問題がある。
【００１０】
また、このように本編情報と特定情報とを含む放送番組の情報信号を、複製元の記録媒体から複製先の記録媒体にダビング記録する場合において、ダビング対象の情報信号のデータ量が、複製先の記録媒体の空き容量を越えてしまう場合があるが、このような場合には、従来は、ユーザは、例えば、ダビング対象の情報信号から、不要と考えられる特定情報の区間などを、予め、削除することにより、ダビング対象の情報信号のデータ量を、複製先の記録媒体の空き容量内となるようにしてから、ダビングを実行するようにしている。
【００１１】
しかしながら、予め不要な情報部分を削除するようにすることは非常に面倒であり、しかも、不要な情報部分の削除処理と、複製先の記録媒体の空き容量内となっているかどうかを確認する処理を何度も行なう必要がある場合もあり、ユーザにとって利便性が損なわれているという問題があった。
【００１２】
この発明は、以上の点にかんがみ、複製先の記録媒体の容量を効率良く利用することができると共に、ユーザにとって利便性を向上させることができる装置および方法を提供することを目的とする。
【課題を解決するための手段】
【００１３】
上記の課題を解決するために、請求項１の発明は、
本編情報の前または後の区間に、前記本編情報以外の特定情報が挿入される状態が可とされている情報信号が記録された第１の記録媒体から、前記情報信号を第２の記録媒体に複製記録する情報信号の複製記録方法において、
前記複製記録に先立ち、前記第１の記録媒体に記録された前記情報信号について、前記情報信号から前記特定情報の区間を検出し、検出された前記特定情報の区間についての付加情報を、前記情報信号に対応付けて、前記第１の記録媒体に記録する付加情報記録工程を行なうと共に、
複製記録すべき前記情報信号が指定され、その指定された前記情報信号についての複製記録の開始指示があったときに、
前記付加情報に基づいて、前記第１の記録媒体から、前記指定された前記情報信号の前記特定情報を除く前記本編情報のみを前記第２の記録媒体に複製記録する本編情報複製記録工程と、
前記付加情報に基づいて、前記第１の記録媒体から、前記指定された前記情報信号の前記特定情報のみを複製記録する特定情報複製記録工程と、
前記本編情報複製記録工程の終了後、前記除かれた特定情報の区間の位置情報を、複製付加情報として前記第２の記録媒体に、前記本編情報複製記録工程で記録された本編情報に対応付けて記録する複製付加情報記録工程と、
を行なうものであって、
前記付加情報記録工程は、
前記情報信号について特徴量を検出し、検出された前記特徴量を用いて、前記本編情報と前記特定情報との区切りを検出して前記特定情報の区間を検出する特定情報区間検出工程と、
前記特定情報区間検出工程で検出された前記特定情報の区間毎に、当該特定情報の区間の前記特徴量に基づいて前記特定情報の区間の識別子を付与する識別子付与工程と、
前記特定情報区間検出工程で検出された前記特定情報の区間の前記情報信号中の存在位置の情報と、前記識別子付与工程で付与された前記特定情報の区間の識別子とを、前記付加情報として前記第１の記録媒体に記録する付加情報記録実行工程と、
を備え、
前記複製付加情報記録工程では、前記特定情報の区間毎の前記識別子と、前記特定情報の区間の位置情報とを対応付けて記録し、
前記特定情報複製記録工程においては、前記付加情報を参照して、前記識別子が同じ前記特定情報の区間の情報は、一つのみを記録する
ことを特徴とする情報信号の複製記録方法を提供する。
【００１４】
この請求項１の発明によれば、本編情報と特定情報の区間の情報とは別々に複製記録するとともに、特定情報の区間には、その情報内容に基づいて生成した識別子を付与し、同じ識別子となる特定情報の区間は記録しないので、複製先である第２の記録媒体の記録容量を効率良く利用することができる。
【００１５】
また、請求項１の発明によれば、情報信号は、本編情報と特定情報の区間の情報とを分離して記録するので、請求項４のように、複製先である第２の記録媒体の空き容量内に、複製元の情報信号が特定情報の区間の情報を含めた状態では記録できないが、特定情報の区間の情報を除去した場合に記録することができる場合には、ユーザの許可を得た上で、特定情報の区間の情報を複製記録しないようにすることが容易であり、ユーザの利便性が向上する。
【発明の効果】
【００１６】
この発明によれば、複製先の記録媒体の容量を効率良く利用することができると共に、ユーザにとって利便性を向上させることができる。
【発明を実施するための最良の形態】
【００１７】
以下、この発明による情報信号の複製記録方法、複製記録装置および記録再生装置の幾つかの実施形態を、図を参照しながら説明する。以下に説明する実施形態は、この発明を、テレビ放送番組の情報信号を受信して第１の記録媒体に記録し、その記録した情報信号を第２の記録媒体に複製記録する装置に適用した場合である。以下に説明する実施形態においては、記録再生の対象の情報信号は、例えば受信したテレビ放送番組の映像信号および音声信号とされている。
【００１８】
［第１の実施形態］
この第１の実施形態は、受信したテレビ放送番組の本編情報と、ＣＭや番組宣伝などからなる特定情報とからなる情報信号としての映像信号および音声信号を、内蔵するハードディスク装置などからなる内蔵記録媒体や、ＤＶＤなどのリムーバルな外部記録媒体に記録し、また、これらの内蔵記録媒体や外部記録媒体に記録された情報信号を読み出して再生する機能を備える記録再生装置に、この発明を適用した場合の例である。
【００１９】
そして、この実施形態では、ダビングは、内蔵記録媒体であるハードディスク装置を複製元の情報信号が記録される第１の記録媒体として、この複製元の情報信号を、外部記録媒体であるＤＶＤを第２の記録媒体として、ダビング記録するようにする。
【００２０】
また、この例の記録再生装置は、テレビ放送番組の映像信号および音声信号を内蔵記録媒体または外部記録媒体に記録し、また、これらの記録媒体に記録されている映像信号および音声信号を再生する機能を備えるだけでなく、記録するテレビ放送番組の映像信号および音声信号または再生した映像信号および音声信号の特徴量を検出し、その検出出力から、ＣＭや番組宣伝などの特定情報の区間（以下、特定情報の区間を特定シーン区間という）を検出する機能を備える。
【００２１】
この場合、この実施形態では、特定シーン区間の検出は、特定シーン区間の開始点や終了点あるいは放送番組の開始点や終了点の位置情報の検出である。そして、この実施形態では、複数個のＣＭ区間などの特定シーン区間が連続するとき、それぞれの特定シーン区間の開始点、終了点も検出されるようにされている。
【００２２】
この実施形態では、これらの位置情報としては、例えば、記録する放送番組の情報信号の映像信号の先頭からのフレーム（またはフィールド）番号が用いられる。
【００２３】
また、この第１の実施形態では、その検出した特定シーン区間のそれぞれに含まれる特定情報の内容に応じた識別子（以下、特定シーン区間識別子という）を生成付与し、検出した特定シーン区間の、記録する情報信号中の位置情報と、対応する特定シーン区間識別子の情報とを、テレビ放送番組の情報信号についての付加情報ファイルとして記録媒体の所定記録領域に記録する機能を備える。
【００２４】
［第１の実施形態の記録再生装置のハードウエア構成例］
図１は、第１の実施形態の記録再生装置のハードウエア構成例を示すブロックである。図１において、システムコントローラ部２０は、マイクロコンピュータを備えて構成されるもので、この例の記録再生装置における各種モードの制御およびその他の動作制御を行なう。
【００２５】
このシステムコントローラ部２０には、例えばリモートコマンダ２２を用いた、あるいは、記録再生装置の操作ボタンを通じた、ユーザの操作入力に応じて操作入力情報が、ユーザ入力インターフェース部２１を通じて供給される。システムコントローラ部２０は、入力された操作入力情報を判別し、当該操作入力情報に応じた処理を実行する。
【００２６】
システムコントローラ部２０には、表示処理部２３を通じて、例えばＬＣＤ（Ｌｉｑｕｉｄ  Ｃｒｙｓｔａｌ  Ｄｉｓｐｌａｙ）などからなる表示部２４が接続されており、この表示部２４に、ユーザの操作入力に際して参考となる表示情報が表示される。ユーザは、この表示部２４の表示を見ながら、種々の操作入力をする。
【００２７】
この実施形態では、特に、ユーザの操作入力によりダビングモードが選択された場合には、システムコントローラ部２０の制御の下に、ダビング用操作画面が、ダビング用ユーザインターフェース生成部２５で生成されて、表示部２４の表示画面に表示され、後述するようなダビング実行前処理が、実行される。
【００２８】
＜記録系処理＞
先ず、図１を参照しながら、この第１の実施形態の記録再生装置の記録系について説明する。  
ユーザが、例えばリモートコマンダ２２を用いて、あるいは、記録再生装置の操作ボタンを通じて、記録指示のコマンド入力をすると、その操作情報が、ユーザインターフェース部２１を通じてシステムコントローラ部２０に供給され、このシステムコントローラ部２０による制御の下で、記録再生装置は、以下のような記録処理を行なう。
【００２９】
受信部２は、この例では、地上波アナログテレビ放送の受信用として、テレビチューナ、映像および音声中間周波回路および映像および音声検波回路を備える。
【００３０】
前述の記録指示のコマンド入力に先立ち、ユーザは、リモートコマンダ２２を用いて、あるいは、記録再生装置の操作ボタンを通じて選局入力操作をする。すると、その操作情報が、ユーザインターフェース部２１を通じてシステムコントローラ部２０に供給され、システムコントローラ部２０は、ユーザの選局操作に応じた放送チャンネルを選択するようにするための選局制御情報を受信部２に供給する。この選局の際、システムコントローラ部２０は、表示処理部２３を通じて表示部２４に選局中の放送チャンネルの表示を行なうので、ユーザは、この表示部２４の表示を見ながら、選局操作をする。
【００３１】
受信部２は、この選局制御情報を受けて、受信アンテナ１で受信したテレビ放送電波から、ユーザが選局した放送チャンネルの放送番組を選択抽出し、当該選択抽出した放送番組の音声信号および映像信号を出力する。
【００３２】
受信部２で選択抽出されたテレビ放送番組の音声信号および映像信号は、記録信号エンコード処理部３に供給されて、所定のサンプリング周波数、所定の量子化ビット数で、Ａ／Ｄ（Ａｎａｌｏｇ  ｔｏ  Ｄｉｇｉｔａｌ）変換信号処理が行われ、その変換後のデジタル音声信号およびデジタル映像信号が、記録エンコード処理される。
【００３３】
ここで記録エンコード処理としては、デジタル音声信号に対しては、例えばＭＰＥＧオーディオやＡＣ−３オーディオ（ドルビーＡＣ−３、またはＡｕｄｉｏ Ｃｏｄｅ Ｎｕｍｂｅｒ ３）などの所定の帯域圧縮方式でデータ圧縮処理が行われる。
【００３４】
また、デジタル映像信号に対しては、記録エンコード処理として、例えばＭＰＥＧビデオやウェーブレット変換などの所定の帯域圧縮方式でデータ圧縮処理が行われる。この例では、デジタル映像信号についての記録エンコード処理としては、ＭＰＥＧビデオのデータ圧縮処理がなされる。そして、データ圧縮処理された映像データは、前記圧縮音声データと多重化されて、記録処理部４を通じて内蔵の記録媒体５に記録される。
【００３５】
また、ユーザが内蔵の記録媒体５ではなく、着脱可能な外部記録媒体７への記録を指示している場合には、記録処理部４は、システムコントローラ部２０からの制御信号に応じて、記録信号エンコード処理部３からの多重化データを、外部記録媒体処理部６を通じて外部記録媒体７に記録するようにする。
【００３６】
この実施形態においては、記録される放送番組には、識別情報（記録番組識別情報という）が付与され、圧縮映像データおよび圧縮音声データは、この記録番組識別情報が付加されて記録媒体５および外部記録媒体７に記録される。この記録番組識別情報は、再生時の検索用に用いられる。
【００３７】
ここで、内蔵の記録媒体５は、この例では、ハードディスク装置で構成され、また、外部記録媒体７は、ＤＶＤとされている。
【００３８】
記録エンコード処理部３からのデジタル音声信号およびデジタル映像信号は、特徴量検出部１２に供給されて、予め定められた種々の特徴量が検出され、その検出された特徴量が特定シーン区間検出部１３に供給される。
【００３９】
特徴量検出部１２で行なう特徴量の検出としては、番組本編とＣＭや番組宣伝との区切り、複数個のＣＭが連続するとき、それぞれのＣＭの開始点、終了点を検出するためのものとしては、音声信号についての無音区間の検出、映像信号についての黒レベル区間の検出などが用いられる。また、ＣＭ区間の時間長は１５秒、３０秒、４５秒、６０秒などのように、１５秒の倍数となっているので、検出された無音区間や黒レベル区間の時間長さが１５秒の倍数となっているかもＣＭ区間の検出に用いられる。
【００４０】
また、特徴量検出部１２では、特定情報の区間の区切りの検出するための特徴量の検出のみではなく、特定情報の区間内の当該特定情報の特徴量の検出も行なっており、その検出の結果の特徴量は、特定シーン区間識別子生成部１４に供給される。特定情報の区間内の当該特定情報の特徴量の検出項目としては、例えば、テロップの検出、人物の検出、肌色検出、トーク検出、音楽検出、盛り上がり検出などが用いられる。ここで、例えば、盛り上がり検出は、静かな状態から急激な音量変化があったり、大きな拍手があったりすることを検出することにより行なわれる。
【００４１】
すなわち、特徴量検出部１２では、この例では、各種映像特性データおよび各種音声特性データと所定のパラメータデータとにより、所定のテロップ特徴データ（テロップ区間判定データ）、人物特徴データその他の画像特徴データ（画像特徴区間判定データ）、および話者音声特徴データ（話者音声判定データ）、拍手歓声特徴データ（拍手歓声判定データ）、その他の音声特徴データの各種特徴量抽出処理が行われる。
【００４２】
なお、この例では、特徴量検出部１２には、記録エンコード処理部３からの、データ圧縮処理過程の途中で得られるデータが入力される。この例では、後述するように、再生信号についても特徴量検出を行ない、シーン変化点の検出を行なうことを考慮して、データ圧縮処理過程の途中で得られるデータを用いて特徴量の検出および特定シーン区間検出部１３においてシーン変化点の検出を行なうようにする。
【００４３】
このようにすれば、再生信号について、特徴量検出およびシーン変化点の検出を行なう際に、再生信号を完全に圧縮デコードして、元のデジタル音声データおよびデジタル映像データに戻す必要がなく、圧縮デコード処理の途中のデータを用いて特徴量検出およびシーン変化点検出を行なうことができ、検出処理が早くなるというメリットがある。
【００４４】
特定シーン区間検出部１３では、特徴量検出部１２で検出された特徴量から特定シーン区間を検出する。この場合に、特定シーン区間検出部１３は、前述したように、例えば番組本編とＣＭとの区切りのみではなく、番組本編内の番組宣伝の区間の開始点および終了点、複数個のＣＭが連続するとき、それぞれのＣＭの開始点、終了点などを、特定シーン区間として検出する。前述したように、この例の場合、この特定シーン区間の検出情報は、ＣＭ、番組宣伝、番組本編の開始点および終了点の位置情報（例えばＣＭや番組宣伝を含めた放送番組の先頭位置を基準にしたフレーム番号（あるいはフィールド番号））である。
【００４５】
なお、受信した放送番組の情報に、番組タイトルや番組のジャンルなどの情報が含まれている場合には、特徴量検出部１２では、これら番組タイトルやジャンルの情報をも、特定情報の区間を検出するための特徴量として検出し、特定シーン区間検出部１３に送る。したがって、特定シーン区間検出部１３は、これら番組タイトルやジャンルの情報をも用いて、特定情報の区間の検出を行なう。
【００４６】
特定シーン区間検出部１３で検出された特定シーン区間の検出位置情報は、特定シーン区間識別子生成部１４に供給される。特徴量検出部１２で検出された、特定シーン区間の特定情報についての特徴量の情報も、特定シーン区間識別子生成部１４に供給される。
【００４７】
また、特徴量記憶部１５には、過去に、特徴量検出部１２で検出された特徴量に基づいて特定シーン区間検出部１３で検出された特定シーン区間についての特徴量が、特定シーン区間識別子と対応付けられて記憶されている。ただし、この特徴量記憶部１５には、同じ特定シーン区間識別子が付与されるシーンの特徴量は、一つのみが、記憶されている。特徴量のデータは、データ圧縮されて記憶されている。
【００４８】
特定シーン区間識別子生成部１４は、システムコントローラ部２０の制御の下に、複製元である第１の記録媒体への記録時に、あるいはダビングに先立って、図２に示すように、特定シーン区間検出部１３からの特定シーン区間の検出位置情報毎に、特定シーン区間識別子を付与する。
【００４９】
なお、「ダビングに先立って」とは、複製元である第１の記録媒体への情報信号の記録後、ダビングが行なわれる前であれば、何時の時点でもよく、例えば、ダビング時に、ダビング記録に先立って、特定シーン区間の識別子の付与処理を行なうようにしてもよい。この実施形態では、特定シーン区間の識別子の付与処理およびそれを付加情報ファイルとして第１の記録媒体に記録する処理は、第１の記録媒体への記録時に行なうように構成されている。
【００５０】
この場合に、特定シーン区間識別子生成部１４は、当該特定シーン区間識別子を付与しようとしている特定シーン区間の特徴量を、特徴量検出部１２から得る。
【００５１】
そして、特定シーン区間識別子生成部１４は、取得した当該特定シーン区間の特徴量と、特徴量記憶部１５に記憶されている特徴量をデータ伸長したものとを順次に比較し、特徴量記憶部１５に記憶されている特徴量の中に、同じ特徴量のものがあると判別したときには、当該特定シーン区間には、特徴量記憶部１５の、前記同じ特徴量として判別された特徴量に対応して記憶されている特定シーン区間識別子を付与するようにする。
【００５２】
また、特定シーン区間識別子生成部１４は、特徴量記憶部１５に記憶されている特徴量をデータ伸長したものの中には、特徴量検出部１２から取得した当該特定シーン区間の特徴量と同じと判別されるものはないと判別したときには、新たな特定シーン区間識別子を、当該特定シーン区間に付与するようにする。そして、その新たな特定シーン区間識別子と、当該特定シーン区間の特徴量を圧縮した特徴量データとを、特徴量記憶部１５に追加記憶するようにする。
【００５３】
ここで、特定シーン区間識別子を生成するために用いる特徴量は、特定シーン区間を検出するために用いる特徴量とは、一部異なる。例えば、シーンチェンジなどの特徴量や、番組タイトル、番組ジャンルなどの情報は、特定シーン区間を検出するために用いても、特定シーン区間識別子を生成するための情報としては用いない。特定シーン区間識別子を生成するために用いる特徴量の情報は、当該特定シーン区間識別子を付与しようとしている特定シーン区間の特徴を現すためのものであり、人物が含まれているか、テロップが含まれているか、音楽が流れているかなどが用いられる。
【００５４】
そして、特定シーン区間識別子生成部１４は、記録時には、あるいはダビングに先立った特定シーン区間識別子の生成時には、以上のようにして特定シーン区間検出部１３で検出した特定シーン区間の検出位置情報（特定シーン区間の位置データ）と、当該特定シーン区間について生成した特定シーン区間識別子とを、例えば図２のように対応付けたものを付加情報ファイルとして記録処理部４に送る。
【００５５】
記録処理部４は、システムコントローラ部２０の制御の下に、特定シーン区間の位置データと特定シーン区間識別子とを対応させた情報を含む付加情報ファイルを、放送番組の記録データに対応付けて記録媒体５の所定の記録領域、この例では、付加情報ファイルの領域に記録するようにする。
【００５６】
あるいは、特定シーン区間識別子生成部１４からの特定シーン区間の位置データおよび特定シーン区間識別子は、記録処理部４から外部記録媒体処理部６に供給され、この外部記録媒体処理部６で記録処理がなされて、外部記録媒体７の所定の記録領域、この例では、その付加情報ファイルの領域に記録される。
【００５７】
この場合、特定シーン区間の位置データおよび特定シーン区間識別子とからなる付加情報ファイルは、対応する放送番組の映像データおよび音声データとは、前述した記録番組識別情報により対応付けられて、内蔵の記録媒体５または外部記録媒体７の前記付加情報ファイルの領域に記録される。
【００５８】
特定シーン区間の位置データは、この実施形態では、前述したように、記録される放送番組のフレーム番号（またはフィールド番号）が用いられることにより、当該記録される放送番組の一塊について、その映像データおよび音声データのフレーム位置（またはフィールド位置）と対応付けられているものである。
【００５９】
図３は、情報信号としての放送番組の情報中の特定シーン区間およびその識別子付与を説明するための図である。この例の情報信号は、図３（Ａ）および（Ｂ）に示すように、番組本編情報１の前に３個の特定シーン区間ＳＣ１〜ＳＣ３が挿入され、番組本編情報１と番組本編情報２との間に、３個の特定シーン区間ＳＣ４〜ＳＣ６が挿入され、番組本編情報２の後に３個の特定シーン区間ＳＣ７〜ＳＣ９が挿入されたものである。
【００６０】
そして、図３の例は、特定シーン区間ＳＣ１とＳＣ９とは、同じ特定シーン区間識別子ＩＤａが付与された番組宣伝である。また、特定シーン区間ＳＣ２，ＳＣ６，ＳＣ８は、同じ特定シーン区間識別子ＩＤ１が付与されたＣＭ１であり、特定シーン区間ＳＣ３，ＳＣ５は、同じ特定シーン区間識別子ＩＤ２が付与されたＣＭ２であり、特定シーン区間ＳＣ４，ＳＣ７は、同じ特定シーン区間識別子ＩＤ３が付与されたＣＭ３であるとされた場合である。
【００６１】
そして、付加情報ファイルとしては、図２に示したように、各特定シーン区間ＳＣ１〜ＳＣ９の位置情報と、その特定シーン区間識別子ＩＤａ、ＩＤ１〜ＩＤ３とが、対応して記録されることになる。
【００６２】
なお、特定シーン区間識別子生成部１４からの特定シーン区間の位置データおよび特定シーン区間識別子の情報は、付加情報ファイルとして記録するのではなく、記録信号エンコード処理部３内の多重化処理部に供給し、圧縮エンコード処理された映像データおよび音声データに多重化して、記録媒体５または外部記録媒体７の所定の記録領域に記録するようにしてもよい。
【００６３】
なお、特徴量検出部１２、特定シーン区間検出部１３および特定シーン区間識別子生成部１４の処理は、システムコントローラ部２０のマイクロコンピュータによるソフトウエア処理とすることもできる。
【００６４】
＜再生系処理＞
次に、図１を参照しながら、この例の記録再生装置の再生系について説明する。  
この実施形態の記録再生装置のユーザインターフェース２１およびリモートコマンダ２２は、通常再生モードと、ＣＭなどの特定情報の区間をスキップして時間短縮して再生する時短再生モードとを切り替える再生モード切り替えボタンを備える。あるいは、記録再生装置は、通常再生モードを指定する通常再生ボタンと、時短再生モードを指定する時短再生ボタンとを設けるようにしてもよい。あるいは、時短再生モードを指定する場合には、通常再生ボタンに加えて、時短再生を指定するボタンを操作するようにしてもよい。
【００６５】
次に、再生モード時の処理動作について、説明する。ユーザは、リモートコマンダ２２を用いて、あるいは、記録再生装置の操作ボタンを通じて、いずれかの再生モードの開始指示のコマンド入力をする。すると、その操作情報が、ユーザインターフェース部２１を通じてシステムコントローラ部２０に供給され、このシステムコントローラ部２０による制御の下で、記録再生装置は、以下のような再生処理を行なう。
【００６６】
ユーザが、記録媒体５あるいは外部記録媒体７からの通常再生モードによる再生指示を、例えばリモートコマンダ２２を通じて入力すると、ユーザ入力インターフェース部２１を通じてシステムコントローラ部２０にそれが入力される。システムコントローラ部２０は、このユーザ入力を受けて、通常再生モードを行なうように読み出し制御部８を制御する。以下の説明においては、例えば記録媒体として、記録媒体５がユーザにより選択された場合について、説明する。
【００６７】
再生モードにおいては、再生処理部９により、記録媒体５から、ユーザにより再生指定された放送番組の圧縮映像データおよび圧縮音声データが読み出され、再生デコード出力部１０を供給される。
【００６８】
再生デコード出力部１０では、再生された放送番組の映像データおよび音声データが、映像データと音声データとに分離される。分離された圧縮音声データは、記録時に帯域圧縮処理された信号処理方式に対応する所定のデコード処理がなされ、そのデコード処理されて得られたデジタル音声信号が、Ｄ／Ａ（Ｄｉｇｉｔａｌ  ｔｏ  Ａｎａｌｏｇ）変換処理され、これよりアナログ音声信号として、出力端子１１ａを通じて出力される。
【００６９】
また、再生デコード出力部１０では、分離された圧縮映像データは、記録時に帯域圧縮処理された信号処理方式に対応する所定のデコード処理がなされて、デジタル映像信号とされた後、Ｄ／Ａ変換処理が行なわれ、アナログ映像信号として出力端子１１ｖを通じて出力される。
【００７０】
また、記録媒体５に記録されている付加情報ファイルが、再生処理部９により記録媒体５から読み出されて、付加情報ファイル処理部１６に供給される。そして、この付加情報ファイル処理部１６において、特定シーン区間の位置データおよび特定シーン区間識別子の情報が抽出され、システムコントローラ部２０に供給されるが、通常の再生モードでは、それらの情報は使用されない。
【００７１】
なお、記録媒体５や記録媒体７に記録されている付加情報ファイルを用いて、ＣＭ区間や番組宣伝区間をスキップするようにする特殊再生の機能も、この実施形態の記録再生装置は備えるが、この発明の要旨とは関係がないので、ここでは、詳細な説明は省略する。
【００７２】
＜ダビング処理＞
この第１の実施形態においては、ダビングモードとして、録画した放送番組の情報信号を、そのまま複製記録する単純ダビングモードと、同じ識別子が付与される特定シーン区間の情報は、一つしか記録しないようにして、複製後の記録データ量を圧縮することができる圧縮ダビングモードとを備え、ユーザは、ユーザ入力インターフェース部２１を通じたユーザ入力操作情報により、いずれかのダビングモードを選択することができるようにされている。
【００７３】
例えば、第１の記録媒体としてのハードディスクからなる記録媒体５に記録された情報信号が、図４（Ａ）に示すようなものである場合に、この記録情報信号を外部記録媒体６にダビング記録する場合を例に、上記の２つのダビングモードを説明する。
【００７４】
図４（Ａ）の記録情報信号は、４つの本編情報１，２，３，４と、３個の特定シーン区間としてのＣＭ区間ＣＭ１〜ＣＭ３とからなり、４つの本編情報のそれぞれの間において、３個のＣＭ区間ＣＭ１〜ＣＭ３が、適宜に繰り返し挿入されたものとなっている。なお、この記録情報信号は、前述したように、データ圧縮処理されているものである。
【００７５】
そして、この実施形態では、記録媒体５には、図４（Ａ）の下側の付加情報ファイルに示すように、特定シーン区間識別子と、対応する特定シーン区間の位置情報とからなる付加情報ファイルが、記録情報信号に対応付けられて記録されている。
【００７６】
そして、この実施形態では、いずれのダビングモードにおいても、記録データの全てを再生しながらダビング記録を行なうことができる等速ダビングと、圧縮された記録データを、その圧縮データのままダビング記録を行なうようにする高速ダビングとが可能とされており、いずれのダビングを行なうかはユーザの操作入力による選択による。
【００７７】
［単純ダビングモード］
単純ダビングモードの等速ダビングにおいては、ユーザ操作入力に基づくシステムコントローラ部２０の制御の下、記録媒体５から図４（Ａ）に示される記録情報信号のデータが読み出され、再生処理部９を通じて再生デコード出力部１０により圧縮が解凍される。そして、その圧縮解凍された記録情報信号のデータが記録エンコード処理部３に供給される。
【００７８】
記録エンコード処理部３では、入力された記録情報信号のデータを、再度、圧縮エンコード処理し、その圧縮エンコード処理したデータを、記録処理部４を通じ、また、外部記録媒体処理部６を通じて外部記録媒体６に記録してダビングする。
【００７９】
この記録情報信号のデータのダビング記録の終了後、記録媒体５からは、記録情報信号に対応する付加情報ファイルが読み出され、再生処理部９を通じて記録処理部４に供給される。そして、この記録処理部９に入力された付加情報ファイルのデータは、記録処理部４を通じ、また、外部記録媒体処理部６を通じて外部記録媒体７に記録されてダビングされる。
【００８０】
次に、単純ダビングモードの高速ダビングにおいては、ユーザ操作入力に基づくシステムコントローラ部２０の制御の下、記録媒体５から図４（Ａ）に示される記録情報信号のデータが読み出され、再生処理部９を通じて、圧縮データのまま記録処理部４に供給される。
【００８１】
そして、記録処理部４に供給された記録情報信号の圧縮データは、外部記録媒体処理部６を通じて外部記録媒体７に供給されて、ダビング記録される。
【００８２】
この記録情報信号のデータのダビング記録の終了後、記録媒体５からは、記録情報信号に対応する付加情報ファイルが読み出され、再生処理部９を通じて記録処理部４に供給される。そして、この記録処理部９に入力された付加情報ファイルのデータは、記録処理部４を通じ、また、外部記録媒体処理部６を通じて外部記録媒体７に記録されてダビングされる。
【００８３】
以上説明したことから明らかなように、この単純ダビングモードでは、ダビング前後のデータ量は、変化がない。
【００８４】
［圧縮ダビングモード］
圧縮ダビングモードの等速ダビングにおいては、ユーザ操作入力に基づくシステムコントローラ部２０の制御の下、記録媒体５から図４（Ａ）に示される記録情報信号のデータが読み出され、再生処理部９を通じて再生デコード出力部１０により圧縮が解凍される。そして、その圧縮解凍された記録情報信号のデータが記録エンコード処理部３に供給される。
【００８５】
そして、この記録情報信号の読み出しに先立ち、図４（Ａ）の下側に示した記録情報信号の付加情報ファイルが読み出され、再生処理部９を通じて付加情報ファイル処理部１６に供給されて、そのバッファに一時保持される。システムコントローラ部２０は、この付加情報ファイルを参照して、記録情報信号中の特定シーン区間としてのＣＭ区間のそれぞれの位置を監視する。
【００８６】
システムコントローラ部２０は、付加情報ファイルを参照して、記録情報信号の本編情報のダビング記録区間であると判別したときには、記録エンコード処理部３で、入力された記録情報信号のデータを、再度、圧縮エンコード処理し、その圧縮エンコード処理したデータを、記録処理部４を通じ、また、外部記録媒体処理部６を通じて外部記録媒体６に記録してダビングするように制御する。
【００８７】
そして、システムコントローラ部２０は、付加情報ファイルを参照して、記録エンコード処理部３の入力記録情報信号が、特定シーン区間の先頭位置であると判別すると、読み出し制御部８、再生処理部９、再生デコード部１０および記録エンコード処理部３を制御して、記録媒体５からのデータの読み出しを一時停止すると共に、記録データのデコードおよびエンコード処理を一時停止する。
【００８８】
そして、システムコントローラ部２０は、読み出し制御部８を制御して、記録媒体５の読み出し位置を、記録情報信号の特定シーン区間の終点、つまり、次の本編情報の先頭位置までジャンプさせるようにする。そして、読み出し制御部８、再生処理部９、再生デコード部１０および記録エンコード処理部３の一時停止を解除して、次の本編情報のダビング記録を上述と同様に行なう。
【００８９】
こうして、図４（Ｂ）に示すように、本編情報と本編情報との間の特定シーン区間の情報は除いて、本編情報のみを纏めてダビング記録するようにする。この際に、本編情報と本編情報との間の特定シーン区間が存在していた位置の情報は、記憶保持される。
【００９０】
こうして、本編情報のみを纏めて記録する処理が終了した後、システムコントローラ部２０は、記録情報信号中に含まれていた特定シーン区間の情報を、図４（Ｂ）の例では、本編情報の纏め記録の後に、まとめてダビング記録するようにする。
【００９１】
すなわち、付加情報ファイルを参照することにより、記録情報信号中の特定シーン区間の位置は分かるので、その特定シーン区間の位置情報で示される部分のみを、記録媒体５から読み出して、本編情報のダビング記録時と同様にしてダビング記録する。
【００９２】
この場合に、この実施形態では、記録情報信号中に含まれていた特定シーン区間の情報の全てを、ダビング記録するのではなく、付加情報ファイルを参照して、同じ識別子の特定シーン区間は、一つのみをダビング記録するようにする。図４の例の場合には、記録情報信号中には、３種類のＣＭ１，ＣＭ２，ＣＭ３のみが含まれているので、これら３種類のＣＭ１，ＣＭ２，ＣＭ３の情報がダビング記録される。
【００９３】
そして、この圧縮ダビング時には、記憶保持した本編情報と本編情報との間の特定シーン区間が存在していた位置の情報と、その位置に存在していた特定シーン区間の特定シーン区間識別子と、各特定シーン区間の情報（映像情報および音声情報）の外部記録媒体上の記録アドレスとが、複製付加情報ファイルとして生成されて、ダビング記録された記録情報信号と対応して記録される。
【００９４】
なお、ダビング記録された記録情報信号と、複製付加情報ファイルとの対応付けは、例えば、ダビング記録された記録情報信号の識別情報によりなされる。
【００９５】
図５に、複製付加情報ファイルの一例を示す。この図５の例は、例えば本編情報１と本編情報２との区切りは、フレーム（またはフィールド）番号が９００と９０１との間、２４３００と２４３０１との間、・・・であり、その区切り位置に、それぞれ識別子ＩＤ１，ＩＤ２，ＩＤ３で示される３個のＣＭ区間が、それぞれ存在していたことを示すものである。
【００９６】
そして、図５に示すように、この例では、複製付加情報ファイルには、識別子ＩＤ１，ＩＤ２，ＩＤ３のそれぞれで示される３個のＣＭ区間の情報が、記録されている外部記録媒体７上の記録アドレス（それぞれのＣＭ区間の情報の記録開始アドレスと記録終了アドレスとの対からなる）が含まれている。
【００９７】
なお、複製付加情報ファイルとしては、図５の例に限られるわけではなく、例えば、特定シーン区間存在位置と、特定シーン区間識別子との対応ファイルと、特定シーン区間識別子と、特定シーン区間の情報の記録アドレスとの対応ファイルとに分離して、構成するようにしても良い。
【００９８】
複製付加情報ファイルは、ダビング記録した情報信号の再生時に、本編情報と本編情報との間に、特定シーン区間の情報を挿入する際に用いられるものである。
【００９９】
次に、圧縮ダビングモードの高速ダビングにおいても、図４（Ｂ）に示すように、本編情報と特定シーン区間の情報とを分離してダビング記録すると共に、特定シーン区間の情報は、同一の識別子のものは一つのみを記録するようにする。しかし、この圧縮ダビングモードの高速ダビングにおいては、本編情報と特定シーン区間との区切りを検出して、分離する方法が問題となる。
【０１００】
この実施形態では、前述したように、デジタル映像信号については、ＭＰＥＧビデオのデータ圧縮がなされるので、高速ダビングにおいては、複数フレーム分のデータ単位であるＧＯＰ（Ｇｒｏｕｐ  Ｏｆ  Ｐｉｃｔｕｒｅ）単位で、ダビング処理を行なう。そして、ＧＯＰ単位で、付加情報ファイルを参照して、特定シーン区間の先頭を含むＧＯＰを検出して、当該特定シーン区間の先頭を含むＧＯＰで、１つの本編情報のダビングを終了し、また、特定シーン区間の終りを含むＧＯＰから次の本編情報のダビングを開始するようにする。
【０１０１】
また、それぞれの特定シーン区間の情報のダビングは、当該特定シーン区間の先頭を含むＧＯＰから開始し、当該特定シーン区間の終りを含むＧＯＰで終了する。
【０１０２】
そして、複製付加情報ファイルの特定シーン区間の存在位置情報としては、圧縮ダビングモードの等速ダビングの場合と同様に、特定シーン区間が存在する位置の前の本編情報の終りのフレームと、特定シーン区間が存在する位置の後の本編情報の先頭のフレームとされる。
【０１０３】
ただし、再生時に、本編情報と特定シーン区間の情報とを合成する場合には、本編情報の終りまたは初めのＧＯＰ単位の情報と、特定シーン区間の情報の初めまたは終わりのＧＯＰ単位の情報との両方をデコードして、それらＧＯＰ内の特定シーン区間の存在位置であるフレーム（フィールド）時点で、本編情報と特定シーン区間の情報との切替を行なうようにする。
【０１０４】
なお、ダビング記録された情報信号には、当該情報信号がダビング記録されたこと、そして、どのダビングモードでダビング記録されたかを示すダビング態様情報が、ダビング記録された情報信号と共に、対応して記録されている。
【０１０５】
以上の説明は、記録媒体５から外部記録媒体７へのダビングの場合についても説明であったが、逆に、図４（Ａ）に示した態様で、外部記録媒体７に記録されていた映像および音声データ、さらに記録されている場合には、付加情報ファイルを記録媒体５に複製記録する場合にも、同様のダビング処理を行なえるようにすることもできる。
【０１０６】
［第１の実施形態の記録再生装置における主要な動作処理の説明］
次に、上述のように構成された第１の実施形態の記録再生装置における主要な動作処理を、図６〜図９のフローチャートを参照しながら説明する。以下に説明するフローチャートの各ステップの処理は、主としてシステムコントローラ部２０を構成するマイクロコンピュータの制御の下に実行されるものである。
【０１０７】
すなわち、図６に示すように、システムコントローラ部２０は、ユーザ入力インターフェース部２１の出力を監視することにより、ユーザ操作入力があるか否か監視する（ステップＳ１）。そして、ユーザ操作入力があったと判別したときには、システムコントローラ部２０は、当該ユーザ操作入力は、放送番組の記録開始操作であるか否か判別し（ステップＳ２）、記録開始操作であると判別したときには、記録処理ルーチンと、特徴量検出、特定シーン区間検出および特定シーン区間識別子生成ルーチンとを、並行して実行する（ステップＳ３）。
【０１０８】
そして、システムコントローラ部２０は、記録停止のユーザ操作があったか否か監視し（ステップＳ４）、記録停止のユーザ操作を検知しないときには、ステップＳ３に戻って、記録処理ルーチンと、特徴量検出、特定シーン区間検出および特定シーン区間識別子生成ルーチンとの並行実行を継続し、記録停止のユーザ操作がなされたと判別したときには、記録後処理を実行（ステップＳ５）した後、ステップＳ１に戻る。
【０１０９】
ステップＳ５の記録後処理においては、システムコントローラ部２０は、特定シーン区間検出部１３で検出された特定シーン区間の位置データと、特定シーン区間識別子の情報とを、付加情報ファイルとして、記録した放送番組の記録データに対応付けて記録媒体に記録する。この場合、付加情報ファイルと、記録した放送番組の記録データとの対応付けは、記録した放送番組の識別情報により行なわれる。
【０１１０】
なお、記録後処理として付加情報ファイルを記録するのではなく、記録処理と並行してリアルタイムでなされた特定シーン区間検出の検出結果および特定シーン区間識別子の情報とを、付加情報ファイルの記録領域に順次に記録するようにしても良いが、記録後処理においては、記録処理と並行してリアルタイムでなされた特定シーン区間検出の検出結果および特定シーン区間識別子の情報のそのものを付加情報ファイルに含めて記録するのではなく、特定シーン区間検出部１３で、記録処理と並行してなされた特定シーン区間検出の検出結果にさらに検討を加えて、より確からしい特定シーン区間を検出し、当該より確からしい特定シーン区間の位置データと、その特定シーン区間識別子とを付加情報ファイルに含めて記録するようにする。
【０１１１】
次に、ステップＳ２で、操作入力は、記録開始操作ではないと判別したときには、システムコントローラ部２０は、操作入力は、ダビング指示であるか否か判別し（図７のステップＳ１１）、ダビング指示であると判別したときには、前述した単純ダビングモードと圧縮ダビングモードのいずれが選択されたかを判別する（ステップＳ１２）。
【０１１２】
このステップＳ１２で、選択されたのは単純ダビングモードであると判別したときには、システムコントローラ部２０は、前述した単純ダビングモードのダビング処理を実行し（ステップＳ１３）、そのダビング処理の終了後、図６のステップＳ１に戻る。
【０１１３】
また、ステップＳ１２で、選択されたのは圧縮ダビングモードであると判別したときには、システムコントローラ部２０は、ダビング速度モードは、等速ダビングであるか、高速ダビングであるかを判別する（ステップＳ１４）。
【０１１４】
そして、ステップＳ１４で等速ダビングであると判別したときには、システムコントローラ部２０は、前述した等速ダビング処理を実行し（ステップＳ１５）、その終了後、図６のステップＳ１に戻る。また、ステップＳ１４で、高速ダビングであると判別したときには、システムコントローラ部２０は、前述した高速ダビング処理を実行し（ステップＳ１６）、その終了後、図６のステップＳ１に戻る。
【０１１５】
また、ステップＳ１１で、操作入力は、ダビング指示ではないと判別したときには、システムコントローラ部２０は、操作入力は、再生モードの再生開始指示操作であるか否か判別する（ステップＳ１７）。
【０１１６】
ステップＳ１７で、操作入力は、再生モードの再生開始指示操作であると判別したときには、システムコントローラ部２０は、前述した再生処理動作を実行し（ステップＳ１８）、その終了後、図６のステップＳ１に戻り、このステップＳ１以降の処理を繰り返す。
【０１１７】
また、ステップＳ１７で、操作入力は、再生モードの再生開始指示操作ではないと判別したときには、その操作入力に応じたその他の処理を実行する（ステップＳ１９）。そして、その処理後、ステップＳ１に戻り、このステップＳ１以降の処理を繰り返す。
【０１１８】
次に、図６のステップＳ３で実行される、記録処理と、特徴量検出、特定シーン区間検出および特定シーン区間識別子生成処理との並行処理ルーチンを、図８のフローチャートを参照して説明する。
【０１１９】
先ず、システムコントローラ部２０は、記録しようとするデータを取り込む（ステップＳ２１）。すなわち、システムコントローラ部２０は、記録しようとするデータが受信部２からの放送番組の情報（映像情報および音声情報）であるときには、受信部２で選択受信した放送番組の情報を記録信号エンコード処理部３に供給するように指示する。
【０１２０】
次に、システムコントローラ部２０は、記録信号エンコード処理部３に、放送番組の情報を記録エンコード処理するように指示し（ステップＳ２２）、記録処理部４を制御して、ユーザにより選択指定された記録媒体５または外部記録媒体７の一方に、その記録エンコード処理された放送番組の映像情報および音声情報を記録する（ステップＳ２３）。
【０１２１】
そして、システムコントローラ部２０は、ユーザにより記録終了指示がなされたか否か判別し（ステップＳ２４）、記録終了指示がなされてはいないと判別したときには、ステップＳ２１に戻って、記録処理を継続する。
【０１２２】
ステップＳ２１〜Ｓ２４は、記録処理ルーチンを構成するもので、この記録処理ルーチンと並行して特徴量検出、特定シーン区間検出および特定シーン区間識別子生成処理ルーチンがなされる。すなわち、システムコントローラ部２０は、ステップＳ２１で取り込まれた記録すべきデータを、特徴量検出部１２にも供給するように指示すると共に、特徴量検出部１２に特徴量検出処理の実行を指示する（ステップＳ２５）。なお、前述したように、この例では、記録信号エンコード処理部３からの圧縮途中のデータが特徴量検出部１２に供給される。
【０１２３】
特徴量検出部１２は、この実行指示を受けて、前述した種々の特徴量の検出を実行し、その処理結果を特定シーン区間検出部１３に供給する。特定シーン区間検出部１３は、システムコントローラ部２０の実行指示を受けて、上述した特定シーン区間の検出処理を実行する（ステップＳ２６）。そして、システムコントローラ部２０は、特徴量検出部１２で検出された特徴量データと、特定シーン区間検出部１３で検出された特定シーン区間の位置データとを、内蔵するバッファメモリなどに記憶保持しておく（ステップＳ２７）。ここで、特徴量検出部１２で検出された特徴量データをも記憶保持しておくのは、より確からしい特定シーン区間を、再生成する際に用いるためである。
【０１２４】
そして、システムコントローラ部２０は、ユーザにより記録終了指示がなされたか否か判別し（ステップＳ２８）、記録終了指示がなされてはいないと判別したときには、ステップＳ１５に戻って、特徴量検出、特定シーン区間検出および特定シーン区間識別子生成処理を継続する。
【０１２５】
なお、ステップＳ２４の判別処理とステップＳ１８の判別処理は、実際には、別々の判別処理ではなく、同一の判別処理であるが、ここでは、２つの処理ルーチンを並列に記述したため、便宜上、図８のように、２つの判別ステップに分離して記載したものである。
【０１２６】
そして、システムコントローラ部２０は、ステップＳ２４、ステップＳ２８で、ユーザにより記録終了指示がなされたと判別したときには、特定シーン区間検出部１３に指示して、バッファメモリに保持している特徴量データと特定シーン区間の位置データを用いて、記録媒体５または記録媒体７に、放送番組の記録データと共に記録する、より確からしい特定シーン区間の位置情報を生成させるようにすると共に、特定シーン区間識別子の生成を行なう（ステップＳ２９）。
【０１２７】
そして、システムコントローラ部２０は、記録処理部４に対し、図２に示したように、ステップＳ２９で生成された特定シーン区間の位置情報と、特定シーン区間識別子の情報とを含めた付加情報ファイルを、前記放送番組の記録データに対応付けた状態で、放送番組の記録データを記録した記録媒体に記録するように制御する（ステップＳ３０）。
【０１２８】
次に、図８のステップＳ２９での特定シーン区間識別子の生成処理について、図９のフローチャートを参照しながら説明する。この図９のフローチャートの各ステップの処理は、この例では、システムコントローラ２０の制御の下、特定シーン区間識別子生成部１４で実行されるものである。なお、システムコントローラ２０のマイクロコンピュータが、特定シーン区間識別子生成部１４の機能をソフトウエアとして備えるように構成してもよい。
【０１２９】
先ず、システムコントローラ部２０は、最初の特定シーン区間を指定して（ステップＳ３１）、特定シーン区間識別子生成部１４に対して、バッファメモリに保持されていた、その特定シーン区間の位置情報と、その特定シーン区間の位置情報で特定される特定シーン区間の特徴量を、渡す（ステップＳ３２）。
【０１３０】
特定シーン区間識別子生成部１４は、取得した特定シーン区間の特徴量と、特徴量記憶部１５に記憶されている過去に付与された特定シーン区間識別子についての特徴量とを比較する（ステップＳ３３）。このとき、特徴量記憶部１５に記憶されている特徴量は、圧縮されているので、特定シーン区間識別子生成部１４は、圧縮を解凍して、取得した特定シーン区間の特徴量と比較する。
【０１３１】
そして、特定シーン区間識別子生成部１４は、取得した特定シーン区間の特徴量と、同一であると判定される特徴量が、特徴量記憶部１５に記憶されたものの中にあるか否か判別する（ステップＳ３４）。
【０１３２】
ステップＳ３４で、取得した特定シーン区間の特徴量と、同一であると判定される特徴量が、特徴量記憶部１５に記憶されたものの中にあると判別したときには、特徴量記憶部１５に記憶されている、同一であると判定された特徴量に付与されている特定シーン区間識別子を、当該取得した特定シーン区間に対して付与する（ステップＳ３５）。
【０１３３】
また、ステップＳ３４で、取得した特定シーン区間の特徴量と、同一であると判定される特徴量が、特徴量記憶部１５に記憶されたものの中には、存在しないと判別したときには、新たな特定シーン区間識別子を、当該特定シーン区間に対して生成して付与し（ステップＳ３６）、当該生成付与した新たな特定シーン区間識別子と、その特定シーン区間の特徴量とを、特徴量記憶部１５に記憶する（ステップＳ３７）。
【０１３４】
そして、ステップＳ３５またはステップＳ３７の次には、システムコントローラ部２０は、ステップＳ３８に進んで、記録された放送番組の最後の特定シーン区間までについての特定シーン区間識別子の生成処理が終了したか否か判別し、終了してはいないと判別したときには、次の特定シーン区間を指定し（ステップＳ３９）、ステップＳ３２に戻って、このステップＳ３２以降の処理を繰り返す。
【０１３５】
また、ステップＳ３８で、記録された放送番組の最後の特定シーン区間までについての特定シーン区間識別子の生成処理が終了したと判別したときには、この特定シーン区間識別子の生成付与処理ルーチンを終了し、図８の記録処理ルーチンに戻る。システムコントローラ部２０は、前述したように、この特定シーン区間識別子の生成付与処理ルーチンが終了すると、図２に示したような、特定シーン区間の位置情報と、当該特定シーン区間の特定シーン区間識別子とを対応付けたデータを、付加情報ファイルとして、対応する放送番組の記録データに対応付けて記録する。
【０１３６】
［特定シーン区間識別子の生成方法の例］
上述の説明では、特定シーン区間識別子は、特徴量検出部１２での特徴量を用いて、過去に検出した特徴量と同じであるかどうかを判別し、同じであれば同じ特定シーン区間識別子を付与し、異なる場合には、新たな特定シーン区間識別子を付与して、それぞれの特定シーン区間識別子と特徴量とを対応して特徴量記憶部１５に記憶するようにした。この場合に、特定シーン区間識別子としては、例えば識別番号等を、対応して割り当てることにより付与することができる。
【０１３７】
しかし、この場合には、特定シーン区間識別子と特徴量とを記録媒体および特徴量記憶部１５に記憶する必要があるため、特徴量記憶部１５の容量が大きなものとなると共に、記録媒体の付加情報ファイルのエリアが大きくなってしまうという問題がある。
【０１３８】
この問題を軽減する方法として、この実施形態では、特徴量そのものを用いて特定シーン区間識別子を形成する方法を用いる。この方法によれば、特定シーン区間識別子としての特徴量を記憶するだけでよくなるので、特徴量記憶部１５の記憶容量が大型化することを軽減することができる。
【０１３９】
図１４に、特徴量を用いて特定シーン区間識別子を生成する方法の一例を説明する。図１４においては、説明の簡単のために、ある１０フレームの区間からなるシーンについての特定シーン区間識別子を、２個の特徴評価値（特徴量）を用いて生成する場合として説明する。ここで、特徴評価値１は、例えば人物の有無であり、特徴評価値２は、例えばテロップ文字の有無であるとする。
【０１４０】
そして、図１０（Ａ）に示す１０フレームのシーン区間において、特徴評価値１は、図１０（Ｂ）に示すような変化をし、特徴評価値２は、図１０（Ｃ）に示したような変化をしたとする。
【０１４１】
この例では、特徴評価値１および特徴評価値２は、それぞれ時間方向に差分を求める。すると、特徴評価値１および特徴評価値２の差分結果は、それぞれ図１０（Ｄ）および図１０（Ｅ）に示すようなものとなる。
【０１４２】
特定シーン区間識別子は、この差分結果についてランレングス符号化圧縮をして生成する。すなわち、図１０の例であれば、ハイレベルの値を「Ａ」とし、ローレベルの値を「Ｂ」として、各値の時間軸方向の長さを数値により表わすことで、圧縮することができる。図１０の例の場合には、特徴評価値１は、当該シーンについて、「Ａ１Ｂ４Ａ２Ｂ３」と表わすことができ、また、特徴評価値２は、当該シーンについて、「Ａ１Ｂ１Ａ２Ｂ６」と表わすことができる。特定シーン区間識別子は、これら複数個の特徴評価値のそれぞれの圧縮値により構成する。
【０１４３】
この例によれば、特定シーン区間識別子検出部１４では、それぞれの特徴評価値の圧縮値から元の特徴評価値を復元し、特定シーン区間検出部１３で検出されたシーン区間における、特徴量検出部１２で検出された対応する特徴評価値と比較することで、同じ特定シーン区間識別子を付与することができるシーンであるか否かを判別することができる。
【０１４４】
この例では、特定シーン区間識別子＝シーン区間の特徴量データであるので、特徴量記憶部１５に記憶するデータ容量を少なくすることができると共に、記録媒体の付加情報ファイルのエリアも小さくすることができるものである。
【０１４５】
なお、特徴量データをそのまま用いて、特定シーン区間識別子を生成する方法としては、上述した方法に限らず、種々の方法が採用できる。また、記録容量および記憶容量が大きいものでよい場合には、特徴量データそのものを特定シーン区間識別子として用いることもできる。
【０１４６】
［圧縮ダビングモードの等速ダビング］
次に、図７のステップＳ１５における圧縮ダビングモードの等速ダビングの処理動作を、図１１および図１２のフローチャートを参照しながら説明する。
【０１４７】
先ず、システムコントローラ部２０は、ダビング対象の放送番組コンテンツの指定を受け付ける（ステップＳ４１）。このとき、この例では、図示は省略するが、表示部２４の表示画面に、記録媒体５に記録されているダビング可能な放送番組コンテンツのリストを表示して、当該表示画面の放送番組コンテンツのリストから、ユーザによるユーザ入力インターフェース部２１を通じたダビング対象の放送番組コンテンツの指定を受け付けるようにする。
【０１４８】
次に、システムコントローラ部２０は、記録媒体５からダビング指定された放送番組コンテンツの付加情報ファイルの特定シーン区間の位置情報および特定シーン区間識別子を先読みしながら、放送番組コンテンツの記録データの読み出しを開始するようにする（ステップＳ４２）。
【０１４９】
そして、システムコントローラ部２０は、再生デコード出力部１０において、指定された放送番組コンテンツの記録データを伸張デコードし、その伸張デコード出力を記録エンコード処理部３に供給して、再度、圧縮エンコードするように制御する（ステップＳ４３）。
【０１５０】
これと並行して、システムコントローラ部２０は、ダビング指定された放送番組コンテンツについての付加情報ファイルの特定シーン区間の位置情報を参照して、特定シーン区間の開始点を監視し（ステップＳ４４）、特定シーン区間の開始点でないときには、エンコードした記録データをダビング先である外部記録媒体７に記録するように制御する（ステップＳ４５）。
【０１５１】
そして、システムコントローラ部２０は、ダビング指定された放送番組コンテンツの本編情報のダビングが終了したか否か判別し（ステップＳ４６）、ダビング終了ではないと判別したときには、ステップＳ４２に戻り、このステップＳ４２以降の処理を繰り返す。
【０１５２】
また、ステップＳ４４で特定シーン区間の開始点であると判別したときには、システムコントローラ部２０は、ダビング指定された放送番組コンテンツの記録データの読み出し、デコードおよびエンコードを一時停止する（ステップＳ４７）。そして、システムコントローラ部２０は、記録媒体５からの記録データの読み出し位置を特定シーン区間の開始点から終了点までジャンプし（ステップＳ４８）、特定シーン区間の存在位置情報を一時記憶する（ステップＳ４９）。そして、システムコントローラ部２０は、記録媒体５からの読み出し、デコードおよびエンコードを再開し（ステップＳ５０）、ステップＳ４４に戻り、このステップＳ４４以降の処理を繰り返す。
【０１５３】
また、ステップＳ４６で、ダビング指定されたコンテンツの本編情報のダビングが終了したと判別したときには、特定シーン区間の情報の等速ダビング処理を行なう。すなわち、システムコントローラ部２０は、付加情報ファイルを参照して、ダビング指定された情報信号中における最初の特定シーン区間の特定シーン区間識別子を参照する（図１２のステップＳ５１）。
【０１５４】
そして、システムコントローラ部２０は、その特定シーン区間の特定シーン区間識別子と、後述する記録済みメモリに保持されている特定シーン区間識別子とを比較対照して、未記録の特定シーン区間は、ダビング指定されたコンテンツの特定シーン区間の情報として、既に、外部記録媒体７に記録済みの特定シーン区間の情報であるか否かをチェックし（ステップＳ５２）、そのチェック結果として記録済みであるかどうかを判別する（ステップＳ５３）。
【０１５５】
ステップＳ５３で、未記録の特定シーン区間は、既に記録済みであると判別したときには、システムコントローラ部２０は、ダビング指定された情報信号中に、記録していない特定シーン区間があるか否か判別する（ステップＳ６０）。このステップＳ６０で、未記録の特定シーン区間があると判別したときには、システムコントローラ部２０は、付加情報ファイルの次の特定シーン区間の特定シーン区間識別子を参照する（ステップＳ６１）。そして、その後、ステップＳ５２に戻り、このステップＳ５２以降の処理を繰り返す。
【０１５６】
また、ステップＳ５３で、未記録の特定シーン区間は記録済みではないと判別したときには、システムコントローラ部２０は、記録媒体５からの読み出し位置を、その特定シーン区間の開始点に設定し（ステップＳ５４）、その特定シーン区間の記録データの読み出しを行ない、その読み出した記録データを伸張デコードし、その伸張デコード出力を記録エンコード処理して、外部記録媒体７にダビング記録するように制御する（ステップＳ５５）。
【０１５７】
そして、システムコントローラ部２０は、付加情報ファイルを参照して、当該特定シーン区間の終了点を監視し（ステップＳ５６）、終了点になるまで、ステップＳ５５を継続する。そして、ステップＳ５６で、ダビング記録中の特定シーン区間の終了点を判別すると、システムコントローラ部２０は、記録媒体５からの読み出し、デコードおよびエンコードを一時停止する（ステップＳ５７）。
【０１５８】
そして、システムコントローラ部２０は、記録した特定シーン区間の特定シーン区間識別子を記録済みメモリ（図１には図示は省略した）に書き込んで保持する（ステップＳ５８）。
【０１５９】
そして、システムコントローラ部２０は、図６に示したように、記録した特定シーン区間の記録開始アドレスおよび終了アドレスを、その存在位置情報と、その特定シーン区間識別子とに対応させて一時保持する（ステップＳ５９）。その後、ステップＳ６０に戻り、このステップＳ６０以降の処理を繰り返す。
【０１６０】
そして、ステップＳ６０で記録媒体５に未記録の特定シーン区間がなくなったと判別したときには、システムコントローラ部２０は、ステップＳ５９で一時保持していた、記録した特定シーン区間の存在位置情報と、その特定シーン区間識別子と、その外部記録媒体７上の記録開始アドレスおよび終了アドレスとの対応情報を、複製付加情報ファイル（図６参照）として生成し、ダビング先である外部記録媒体７に記録する（ステップＳ６２）。
【０１６１】
これで、ダビング指定されたコンテンツの１つについてのダビング処理が終了となる。システムコントローラ部２０は、次に、ダビング指定されて、記録が済んでいない放送番組コンテンツがあるか否か判別し（ステップＳ６３）、無ければダビングの終了処理をする（ステップＳ６４）。このダビングの終了処理においては、例えば、記録済みメモリをクリアする処理などを行なう。
【０１６２】
ステップＳ６３で、他にダビング指定されて記録済みでない放送番組コンテンツがあると判別したときには、図１１のステップＳ４２に戻り、このステップＳ４２以降の処理を繰り返す。
【０１６３】
［圧縮ダビングモードの高速ダビング］
次に、図７のステップＳ１６における圧縮ダビングモードの高速ダビングの処理動作を、図１４および図１５のフローチャートを参照しながら説明する。
【０１６４】
先ず、システムコントローラ部２０は、ダビング対象の放送番組コンテンツの指定を受け付ける（ステップＳ７１）。このとき、この例では、図示は省略するが、表示部２４の表示画面に、記録媒体５に記録されているダビング可能な放送番組コンテンツのリストを表示して、当該表示画面の放送番組コンテンツのリストから、ユーザによるユーザ入力インターフェース部２１を通じたダビング対象の放送番組コンテンツの指定を受け付けるようにする。
【０１６５】
次に、システムコントローラ部２０は、記録媒体５からダビング指定された放送番組コンテンツの付加情報ファイルの特定シーン区間の位置情報および特定シーン区間識別子を先読みしながら、放送番組コンテンツの記録データの読み出しを開始するようにする（ステップＳ７２）。
【０１６６】
そして、この高速ダビングのときには、記録データは伸張デコードおよび再圧縮エンコード処理は行なわずに、ＧＯＰ単位のデータダビングを行なうので、システムコントローラ部２０は、記録媒体５からＧＯＰ単位で記録データを読み出し、再生処理部９を通じて記録処理部４にその記録データを供給して、外部記録媒体処理部６を通じて外部記録媒体７にダビング記録させる処理を行なうように制御する（ステップＳ７３）。
【０１６７】
そして、システムコントローラ部２０は、ＧＯＰ単位のデータについて、特定シーン区間の開始点を含むＧＯＰであるか否か判別し（ステップＳ７４）、特定シーン区間の開始点を含むＧＯＰではないと判別したときには、ダビング指定された放送番組コンテンツの本編情報のダビングが終了したか否か判別し（ステップＳ７７）、終了していないと判別したときには、ステップＳ７３に戻り、このステップＳ７３以降の処理を繰り返す。
【０１６８】
そして、ステップＳ７４で、特定シーン区間の開始点を含むＧＯＰであると判別したときには、システムコントローラ部２０は、当該ＧＯＰ単位のデータのダビングが終了した後の記録データの読み出し位置を、当該特定シーン区間の終了点を含むＧＯＰ単位のデータ位置に設定し（ステップＳ７５）、当該ＧＯＰの位置情報を再生時用の管理情報として保持する（ステップＳ７６）。そして、ステップＳ７７に進み、このステップＳ７７以降の処理を実行する。
【０１６９】
以上のステップＳ７７までの処理により、指定された放送番組コンテンツについての本編情報の高速ダビングができる。そして、ステップＳ７７で、指定された放送番組コンテンツの本編情報のダビングが終了したと判別したときには、特定シーン区間の情報の高速ダビング処理を行なう。すなわち、システムコントローラ部２０は、付加情報ファイルを参照して、ダビング指定された情報信号中における最初の特定シーン区間の特定シーン区間識別子を参照する（図１４のステップＳ８１）。
【０１７０】
そして、システムコントローラ部２０は、その特定シーン区間の特定シーン区間識別子と、後述する記録済みメモリに保持されている特定シーン区間識別子とを比較対照して、未記録の特定シーン区間は、ダビング指定されたコンテンツの特定シーン区間の情報として、既に、外部記録媒体７に記録済みの特定シーン区間の情報であるか否かをチェックし（ステップＳ８２）、そのチェック結果として記録済みであるかどうかを判別する（ステップＳ８３）。
【０１７１】
ステップＳ８３で、未記録の特定シーン区間は、既に記録済みであると判別したときには、システムコントローラ部２０は、付加情報ファイルを参照して、ダビング指定された情報信号中に、記録していない特定シーン区間があるか否か判別する（ステップＳ９０）。このステップＳ９０で、未記録の特定シーン区間があると判別したときには、システムコントローラ部２０は、付加情報ファイルの次の特定シーン区間の特定シーン区間識別子を参照する（ステップＳ９１）。そして、その後、ステップＳ８２に戻り、このステップＳ８２以降の処理を繰り返す。
【０１７２】
また、ステップＳ８３で、未記録の特定シーン区間は記録済みではないと判別したときには、システムコントローラ部２０は、記録媒体５からの読み出し位置を、その特定シーン区間の開始点を含むＧＯＰ単位のデータに設定し（ステップＳ８４）、その特定シーン区間のＧＯＰ単位の記録データの読み出しを行ない、その読み出した記録データを、外部記録媒体７にダビング記録するように制御する（ステップＳ８５）。
【０１７３】
そして、システムコントローラ部２０は、付加情報ファイルを参照して、当該特定シーン区間の終了点を含むＧＯＰを監視し（ステップＳ８６）、終了点を含むＧＯＰになるまで、ステップＳ８５を継続する。そして、ステップＳ８６で、ダビング記録中の特定シーン区間の終了点を含むＧＯＰを判別すると、システムコントローラ部２０は、記録媒体５からの読み出しを一時停止する（ステップＳ８７）。
【０１７４】
そして、システムコントローラ部２０は、記録した特定シーン区間の特定シーン区間識別子を記録済みメモリ（図１には図示は省略した）に書き込んで保持する（ステップＳ８８）。
【０１７５】
そして、システムコントローラ部２０は、記録した特定シーン区間の記録開始アドレスおよび終了アドレスを、特定シーン区間の開始点および終了点のＧＯＰの存在位置情報と、その特定シーン区間識別子とを対応させた情報を再生時の管理情報として一時保持する（ステップＳ８９）。その後、システムコントローラ部２０は、ステップＳ９０に戻り、記録していない特定シーン区間が有るか否か判別する。
【０１７６】
そして、ステップＳ９０で記録媒体５に未記録の特定シーン区間がなくなったと判別したときには、システムコントローラ部２０は、ステップＳ８９で一時保持していた、再生時の管理情報を、複製付加情報ファイルとして生成し、ダビング先である外部記録媒体７に記録する（ステップＳ９２）。
【０１７７】
これで、ダビング指定されたコンテンツの１つについてのダビング処理が終了となる。システムコントローラ部２０は、次に、ダビング指定されて、記録が済んでいない放送番組コンテンツがあるか否か判別し（ステップＳ９３）、無ければダビングの終了処理をする（ステップＳ９４）。このダビングの終了処理においては、例えば、記録済みメモリをクリアする処理などを行なう。
【０１７８】
ステップＳ９３で、他にダビング指定されて記録済みでない放送番組コンテンツがあると判別したときには、図１３のステップＳ７３に戻り、このステップＳ７３以降の処理を繰り返す。
【０１７９】
なお、上述の説明では省略したが、ダビング後の記録データには、単純ダビングしたものであるか、また、圧縮ダビングしたものであるかを示すダビングモード情報が、付随情報として、対応付けられて記録されている。さらに、圧縮ダビングした記録データには、等速ダビングをしたものであるか、あるいは高速ダビングをしたものであるかを示すダビング速度の情報も、付随情報として、ダビング後の記録データに対応付けられて記録されている。
【０１８０】
［再生処理］
次に、図７のステップＳ１８における再生処理動作を、図１５のフローチャートを参照しながら説明する。
【０１８１】
システムコントローラ部２０は、先ず、再生対象のコンテンツは、圧縮ダビングしたものであるか否か判別し（ステップＳ１０１）、圧縮ダビングしたものでないと判別したときには、ダビングされたものではない、あるいは単純ダビングであるとして再生を行ない、圧縮ダビングしたものであると判別したときには、圧縮ダビングに応じた再生を実行する。
【０１８２】
すなわち、ステップＳ１０１で、圧縮ダビングしたものでないと判別したときには、システムコントローラ部２０は、通常再生（ノーマル速度再生）の開始指示があったか否か判別し（ステップＳ１０２）、通常再生ではなく、他の特殊再生モードのための指示であるときには、指定されたその他の再生処理を実行する（ステップＳ１０６）。ここで、その他の再生処理としては、高速再生や、付加情報ファイルを用いて特定の区間のみを抽出したダイジェスト再生などがあるが、この発明とは直接的には関係が無いので、ここではその詳細な説明は省略する。
【０１８３】
ステップＳ１０２で、通常再生の開始指示があったと判別したときには、システムコントローラ部２０は、操作入力により指定された再生対象が記録された記録媒体５または７から、指定された放送番組の記録データと、その付加情報ファイルとを読み出し、ノーマル速度再生を開始する（ステップＳ１０３）。
【０１８４】
次に、システムコントローラ部２０は、再生対象の番組の最後まで再生されたか否か判別し（ステップＳ１０４）、最後まで再生されたと判別したときには、再生終了処理を実行する（ステップＳ１１３）。
【０１８５】
また、ステップＳ１０４で、最後まで再生されてはいないと判別したときには、システムコントローラ部２０は、ユーザにより再生終了指示操作がなされたか否か判別し（ステップＳ１０５）、ユーザにより再生終了指示操作がなされてはいないと判別したときには、ステップＳ１０３に戻り、通常再生処理を継続する。また、ステップＳ１０５で、ユーザにより再生終了指示操作がなされたと判別したときには、再生終了処理を実行する（ステップＳ１１４）。
【０１８６】
一方、ステップＳ１０１で再生対象のコンテンツは圧縮ダビングされたものであると判別したときには、システムコントローラ部２０は、その通常再生の開始指示があったか否か判別し（ステップＳ１０７）、通常再生ではなく、他の特殊再生モードのための指示であるときには、指定されたその他の再生処理を実行する（ステップＳ１０８）。
【０１８７】
ステップＳ１０７で、通常再生の開始指示があったと判別したときには、システムコントローラ部２０は、操作入力により指定された再生対象が記録された記録媒体５または７から、指定された放送番組の記録データと、その複製付加情報ファイルとを読み出し、ノーマル速度再生を開始する（ステップＳ１０９）。
【０１８８】
前述したように、圧縮ダビング記録された情報信号の記録データは、本編情報と特定シーン区間の情報とが分離されているので、システムコントローラ部２０は、このステップＳ１０９では、再生対象の記録データの本編情報が記録媒体から読み出されて再生が開始される。
【０１８９】
そして、システムコントローラ部２０は、複製付加情報ファイルの特定シーン区間の位置情報に基づいて、本編情報と本編情報との間の特定シーン区間の存在位置になったか否か判別し（ステップＳ１１０）、特定シーン区間の存在位置になったと判別したときには、システムコントローラ部２０は、本編情報の読み出しを一時停止して、当該特定シーン区間の存在位置における特定シーン区間の情報の再生処理を行なう（ステップＳ１１１）。
【０１９０】
このステップＳ１１１においては、圧縮ダビングが等速ダビングで行なわれた場合と、高速ダビングで行なわれた場合とで、異なる処理がなされる。
【０１９１】
再生対象のコンテンツが等速ダビングされたものであるときには、システムコントローラ部２０は、複製付加情報ファイルを参照して、当該位置に挿入すべき特定シーン区間の識別子と、それぞれの識別子で示される特定シーン区間の情報の記録アドレスを、前記挿入位置の到来に先立ち、予め、認識しておく。そして、前記挿入位置になると、システムコントローラ部２０は、挿入すべき特定シーン区間の情報を、その記録アドレスから読み出して、順次に、再生する。そして、システムコントローラ部２０は、挿入する特定シーン区間の情報を全てさせ終わったら、一時停止していた本編情報の読み出しを、停止していた位置から再開させるようにして、再生を継続する。
【０１９２】
また、再生対象のコンテンツが高速ダビングされたものであるときには、システムコントローラ部２０は、基本的には等速ダビングと同様の処理を行なうが、本編情報と特定シーン区間の情報との間のつなぎ、および特定シーン区間の情報と特定シーン区間の情報との間のつなぎが、等速ダビングの場合とは異なる。
【０１９３】
すなわち、システムコントローラ部２０は、高速ダビングは、ＧＯＰ単位で行なわれ、本編情報と特定シーン区間の情報との間のつなぎ部分、および特定シーン区間の情報と特定シーン区間の情報との間のつなぎ部分では、繋がれる前後の情報のそれぞれが同じＧＯＰ単位の情報を含むものとなっている。そのため、繋がれる前の情報の最後のＧＯＰ単位のデータを再生するときには、繋がれる後の情報の最初のＧＯＰ単位のデータも併せて再生され、そのＧＯＰの途中の、つなぎ目のフレーム（フィールド）で、前後の情報の切り替えを行なうようにして、前後の情報のつなぎを行なう。
【０１９４】
システムコントローラ部２０は、このステップＳ１１１の処理の後には、再生対象の番組の最後まで再生されたか否か判別し（ステップＳ１１２）、最後まで再生されたと判別したときには、再生終了処理を実行する（ステップＳ１１４）。
【０１９５】
また、ステップＳ１１２で、最後まで再生されてはいないと判別したときには、システムコントローラ部２０は、ユーザにより再生終了指示操作がなされたか否か判別し（ステップＳ１１３）、ユーザにより再生終了指示操作がなされてはいないと判別したときには、ステップＳ１０９に戻り、通常再生処理を継続する。また、ステップＳ１１３で、ユーザにより再生終了指示操作がなされたと判別したときには、再生終了処理を実行する（ステップＳ１１４）。
【０１９６】
なお、ステップＳ１０８におけるその他の再生処理の一例として、複製付加情報ファイルを用いた再生処理が考えられるが、この実施形態においては、ダビングされた記録データとしては、本編情報と特定シーン区間情報とが、分離された状態であるので、本編情報と本編情報との間に１つの特定シーン区間の情報のみを挿入して再生する、本編情報と本編情報との間に特定シーン区間の情報を挿入せずに再生する、などの特殊再生が容易にできるというメリットがある。
【０１９７】
なお、上述の説明では、第１の記録媒体である記録媒体５に情報信号を記録するときに、付加情報ファイルを併せて生成して記録するようにしたが、これは特定の再生時に行っても、また、複製記録時に複製記録に先立って行っても良い。
【０１９８】
［第２の実施形態］
上述した第１の実施形態では、ダビング記録時に、放送番組コンテンツ毎に、特定シーン区間の重複を排除して、データ量の削減を図っている。このため、１つの放送番組コンテンツ中の特定シーン区間の重複が少ない場合には、データ量の削減効果は小さい。
【０１９９】
この第２の実施形態では、ダビング指定が複数個の放送番組コンテンツを含む場合には、当該複数個の放送番組コンテンツの全てについて、同一の特定シーン区間の重複するダビング記録を排除して、よりデータ量の削減が図れるようにする。
【０２００】
この第２の実施形態においては、記録再生装置のハードウエア構成は、図１の通りで、第１の実施形態と全く同様とされ、また、複製元となる第１の記録媒体、例えば記録媒体５への記録処理も、第１の実施形態と同様である。
【０２０１】
そして、ダビング対象として１個の放送番組コンテンツを指定する場合には、第２の実施形態でダビングされた記録媒体への記録データの実体は、第１の実施形態でダビングされた場合の記録データと変わらないが、ダビング対象として複数個の放送番組コンテンツが指定された場合には、以下に説明するように、ダビング記録後のデータ量の削減が図れる。
【０２０２】
例えば、図１６に示すような２個の放送番組コンテンツＡおよび放送番組コンテンツＢが、１回のダビング対象として指定された場合について説明する。図１６に示すように、放送番組コンテンツＡと放送番組コンテンツＢとは、いずれも、特定シーン区間の情報として、３種類のＣＭ、すなわち、ＣＭ１と、ＣＭ２と、ＣＭ３とを含んでいる。そして、図１６においては、この放送番組コンテンツＡと放送番組コンテンツＢとが、記録媒体５に記録されており、それぞれ対応して付加情報ファイルが記録されている状態を示している。
【０２０３】
この第２の実施形態において、これら２個の放送番組コンテンツＡおよびＢが、ダビング対象として指定されたときには、図１７に示すように、先ず、２個のコンテンツＡおよびＢの本編情報のみが、第１の実施形態の場合と同様にしてダビング記録される。その後、これらの２個のコンテンツＡおよびＢに共通に存在する特定シーン区間の情報は、一つとして、特定シーン区間の情報を、この例では、２個のコンテンツＡおよびＢの本編情報の後ろに記録するようにする。
【０２０４】
この場合、複製付加情報ファイルは、コンテンツＡ用付加情報ファイルと、コンテンツＢ用付加情報ファイルと、これら２個のコンテンツＡ，Ｂに共通の特定シーン区間記録アドレス情報ファイルとからなる。
【０２０５】
コンテンツＡ用付加情報ファイルと、コンテンツＢ用付加情報ファイルとは、図１８に示すように、それぞれ対応するコンテンツの識別情報により、それぞれのコンテンツの記録データと対応付けられて、それぞれのコンテンツ毎に設けられる。
【０２０６】
一方、特定シーン区間記録アドレス情報ファイルは、図１９に示すように、対応する複数のコンテンツの識別情報により、それら複数のコンテンツの記録データと対応付けられて記録される。
【０２０７】
このようにすれば、第１の実施形態の場合には、コンテンツＡと、コンテンツＢとで、それぞれ３種類の特定シーン区間の情報を、独立に記録する必要があったのに対して、この第２の実施形態の場合には、複数のコンテンツＡ，Ｂに共通に３種類の特定シーン区間の情報を記録するだけでよくなり、ダビング記録後のデータを削減することができる。
【０２０８】
この第２の実施形態における等速ダビングおよび高速ダビングの処理動作を、それぞれ図を参照して次に説明する。
【０２０９】
［圧縮ダビングモードの等速ダビング］
先ず、この第２の実施形態における圧縮ダビングモードの等速ダビングの処理動作を、図２０および図２１のフローチャートを参照しながら説明する。
【０２１０】
図２０および図２１に示した、この第２の実施形態の圧縮ダビングモードの等速ダビング処理動作のうち、ステップＳ１２１〜ステップＳ１３０の処理は、図１１のステップＳ４１〜ステップＳ５０までの処理と全く同様である。
【０２１１】
すなわち、この第２の実施形態では、先ず、システムコントローラ部２０は、ダビング対象の放送番組コンテンツの指定を受け付ける（ステップＳ１２１）。このとき、この例では、図示は省略するが、表示部２４の表示画面に、記録媒体５に記録されているダビング可能な放送番組コンテンツのリストを表示して、当該表示画面の放送番組コンテンツのリストから、ユーザによるユーザ入力インターフェース部２１を通じたダビング対象の放送番組コンテンツの指定を受け付けるようにする。
【０２１２】
次に、システムコントローラ部２０は、記録媒体５からダビング指定された放送番組コンテンツの付加情報ファイルの特定シーン区間の位置情報および特定シーン区間識別子を先読みしながら、放送番組コンテンツの記録データの読み出しを開始するようにする（ステップＳ１２２）。
【０２１３】
そして、システムコントローラ部２０は、再生デコード出力部１０において、指定された放送番組コンテンツの記録データを伸張デコードし、その伸張デコード出力を記録エンコード処理部３に供給して、再度、圧縮エンコードするように制御する（ステップＳ１２３）。
【０２１４】
これと並行して、システムコントローラ部２０は、ダビング指定された放送番組コンテンツについての付加情報ファイルの特定シーン区間の位置情報を参照して、特定シーン区間の開始点を監視し（ステップＳ１２４）、特定シーン区間の開始点でないときには、エンコードした記録データをダビング先である外部記録媒体７に記録するように制御する（ステップＳ１２５）。
【０２１５】
そして、システムコントローラ部２０は、ダビング指定された放送番組コンテンツの本編情報のダビングが終了したか否か判別し（ステップＳ１２６）、ダビング終了ではないと判別したときには、ステップＳ１２２に戻り、このステップＳ１２２以降の処理を繰り返す。
【０２１６】
また、ステップＳ１２４で特定シーン区間の開始点であると判別したときには、システムコントローラ部２０は、ダビング指定された放送番組コンテンツの読み出し、デコードおよびエンコードを一時停止する（ステップＳ１２７）。そして、システムコントローラ部２０は、記録媒体５からの記録データの読み出し位置を特定シーン区間の開始点から終了点までジャンプし（ステップＳ１２８）、特定シーン区間の存在位置情報を一時記憶する（ステップＳ１２９）。そして、システムコントローラ部２０は、記録媒体５からの読み出し、デコードおよびエンコードを再開し（ステップＳ１３０）、ステップＳ１２４に戻り、このステップＳ１２４以降の処理を繰り返す。
【０２１７】
そして、この第２の実施形態では、ステップＳ１２６で、ダビング指定されたコンテンツの本編情報のダビングが終了したと判別したときには、第１の実施形態のように即座に特定シーン区間の情報の等速ダビング処理に移行するのではなく、前述の図１８に示した本編情報のダビングが終了したコンテンツ用付加情報ファイルを生成し、一時保持する（ステップＳ１３１）。
【０２１８】
そして、他に、ダビング指定された放送番組コンテンツがあるか否か判別し（ステップＳ１３２）、あればステップＳ１２２に戻って、このステップＳ１２２以降の処理を繰り返す。
【０２１９】
以上の処理により、ダビング指定された複数の放送番組コンテンツの本編情報のみのダビング記録が終了する。そして、この複数の放送番組コンテンツの本編情報のみのダビング記録が終了したら、システムコントローラ部２０は、付加情報ファイルを参照して、ダビング指定された複数個の放送番組コンテンツについての特定シーン区間の情報のダビング記録を行なう。
【０２２０】
すなわち、ステップＳ１３２で、他にダビング指定された放送番組コンテンツがないと判別したときに、システムコントローラ部２０は、付加情報ファイルを参照して、ダビング指定された情報信号中における最初の特定シーン区間の特定シーン区間識別子を参照する（図２１のステップＳ１４１）。
【０２２１】
そして、システムコントローラ部２０は、その特定シーン区間の特定シーン区間識別子と、後述する記録済みメモリに保持されている特定シーン区間識別子とを比較対照して、未記録の特定シーン区間は、ダビング指定されたコンテンツの特定シーン区間の情報として、既に、外部記録媒体７に記録済みの特定シーン区間の情報であるか否かをチェックし（ステップＳ１４２）、そのチェック結果として記録済みであるかどうかを判別する（ステップＳ１４３）。
【０２２２】
ステップＳ１４３で、未記録の特定シーン区間は、既に記録済みであると判別したときには、システムコントローラ部２０は、ダビング指定された情報信号中に、記録していない特定シーン区間があるか否か判別する（ステップＳ１５０）。このステップＳ１５０で、未記録の特定シーン区間があると判別したときには、システムコントローラ部２０は、付加情報ファイルの次の特定シーン区間の特定シーン区間識別子を参照する（ステップＳ１５１）。そして、その後、ステップＳ１４２に戻り、このステップＳ１４２以降の処理を繰り返す。
【０２２３】
また、ステップＳ１４３で、未記録の特定シーン区間は記録済みではないと判別したときには、システムコントローラ部２０は、記録媒体５からの読み出し位置を、その特定シーン区間の開始点に設定し（ステップＳ１４４）、その特定シーン区間の記録データの読み出しを行ない、その読み出した記録データを伸張デコードし、その伸張デコード出力を記録エンコード処理して、外部記録媒体７にダビング記録するように制御する（ステップＳ１４５）。
【０２２４】
そして、システムコントローラ部２０は、付加情報ファイルを参照して、当該特定シーン区間の終了点を監視し（ステップＳ１４６）、終了点になるまで、ステップＳ１４５を継続する。そして、ステップＳ１４６で、ダビング記録中の特定シーン区間の終了点を判別すると、システムコントローラ部２０は、記録媒体５からの読み出し、デコードおよびエンコードを一時停止する（ステップＳ１４７）。
【０２２５】
そして、システムコントローラ部２０は、記録した特定シーン区間の特定シーン区間識別子を記録済みメモリ（図１には図示は省略した）に書き込んで保持する（ステップＳ１４８）。
【０２２６】
そして、システムコントローラ部２０は、図１９に示したように、記録した特定シーン区間の記録開始アドレスおよび終了アドレスを、その特定シーン区間識別子に対応させて一時保持する（ステップＳ１４９）。その後、ステップＳ１５０に戻り、記録媒体５に未記録の特定シーン区間が有るか否か判別する。
【０２２７】
そして、ステップＳ１５０で記録媒体５に未記録の特定シーン区間がなくなったと判別したときには、システムコントローラ部２０は、ステップＳ１３１で一時保持していた図１８に示したような各放送番組コンテンツ毎のコンテンツ用付加情報ファイルと、ステップＳ１４９で一時保持していた、図１９に示したような、記録した特定シーン区間の特定シーン区間識別子と、その外部記録媒体７上の記録開始アドレスおよび終了アドレスとの対応情報からなる特定シーン区間記録アドレス情報ファイルとを、複製付加情報ファイル（図１７参照）として生成し、ダビング先である外部記録媒体７に記録する（ステップＳ１５２）。
【０２２８】
これで、ダビング指定された複数個の放送番組コンテンツについてのダビング処理が終了となり、システムコントローラ部２０は、ダビングの終了処理をする（ステップＳ１５３）。このダビングの終了処理においては、例えば、ステップＳ１３１での一時保持情報やステップＳ１４９での一時保持情報のクリアおよびステップＳ１４８で用いる記録済みメモリをクリアする処理などを行なう。
【０２２９】
［圧縮ダビングモードの高速ダビング］
次に、第２の実施形態における圧縮ダビングモードの高速ダビングの処理動作を、図２２および図２３のフローチャートを参照しながら説明する。
【０２３０】
図２２および図２３に示した、この第２の実施形態の圧縮ダビングモードの高速ダビング処理動作のうち、ステップＳ１６１〜ステップＳ１６７の処理は、図１３のステップＳ７１〜ステップＳ７７までの処理と全く同様である。
【０２３１】
すなわち、この第２の実施形態では、先ず、システムコントローラ部２０は、ダビング対象の放送番組コンテンツの指定を受け付ける（ステップＳ１６１）。このとき、この例では、図示は省略するが、表示部２４の表示画面に、記録媒体５に記録されているダビング可能な放送番組コンテンツのリストを表示して、当該表示画面の放送番組コンテンツのリストから、ユーザによるユーザ入力インターフェース部２１を通じたダビング対象の放送番組コンテンツの指定を受け付けるようにする。
【０２３２】
次に、システムコントローラ部２０は、記録媒体５からダビング指定された放送番組コンテンツの付加情報ファイルの特定シーン区間の位置情報および特定シーン区間識別子を先読みしながら、放送番組コンテンツの記録データの読み出しを開始するようにする（ステップＳ１６２）。
【０２３３】
そして、この高速ダビングのときには、記録データは伸張デコードおよび再圧縮エンコード処理は行なわずに、ＧＯＰ単位のデータダビングを行なうので、システムコントローラ部２０は、記録媒体５からＧＯＰ単位で記録データを読み出し、再生処理部９を通じて記録処理部４にその記録データを供給して、外部記録媒体処理部６を通じて外部記録媒体７にダビング記録させる処理を行なうように制御する（ステップＳ１６３）。
【０２３４】
そして、システムコントローラ部２０は、ＧＯＰ単位のデータについて、特定シーン区間の開始点を含むＧＯＰであるか否か判別し（ステップＳ１６４）、特定シーン区間の開始点を含むＧＯＰではないと判別したときには、ダビング指定された放送番組コンテンツの本編情報のダビングが終了したか否か判別し（ステップＳ１６７）、終了していないと判別したときには、ステップＳ１６３に戻り、このステップＳ１６３以降の処理を繰り返す。
【０２３５】
そして、ステップＳ１６４で、特定シーン区間の開始点を含むＧＯＰであると判別したときには、システムコントローラ部２０は、当該ＧＯＰ単位のデータのダビングが終了した後の記録データの読み出し位置を、当該特定シーン区間の終了点を含むＧＯＰ単位のデータ位置に設定し（ステップＳ１６５）、当該ＧＯＰの位置情報を再生時用の管理情報として保持する（ステップＳ１６６）。そして、ステップＳ１６７に進み、このステップＳ７７以降の処理を実行する。
【０２３６】
そして、この第２の実施形態では、ステップＳ１６７で、ダビング指定されたコンテンツの本編情報のダビングが終了したと判別したときには、第１の実施形態のように即座に特定シーン区間の情報の高速ダビング処理に移行するのではなく、前述の図１８に示した本編情報のダビングが終了したコンテンツ用付加情報ファイルを生成し、一時保持する（ステップＳ１６８）。
【０２３７】
そして、他に、ダビング指定された放送番組コンテンツがあるか否か判別し（ステップＳ１６９）、あればステップＳ１６２に戻って、このステップＳ１６２以降の処理を繰り返す。
【０２３８】
以上の処理により、ダビング指定された複数の放送番組コンテンツの本編情報のみのダビング記録が終了する。そして、この複数の放送番組コンテンツの本編情報のみのダビング記録が終了したら、システムコントローラ部２０は、付加情報ファイルを参照して、ダビング指定された複数個の放送番組コンテンツについての特定シーン区間の情報のダビング記録を行なう。
【０２３９】
すなわち、ステップＳ１６９で、他にダビング指定された放送番組コンテンツがないと判別したときに、システムコントローラ部２０は、付加情報ファイルを参照して、ダビング指定された複数個の放送番組コンテンツの情報信号中における最初の特定シーン区間の特定シーン区間識別子を参照する（図２３のステップＳ１７１）。
【０２４０】
そして、システムコントローラ部２０は、その特定シーン区間の特定シーン区間識別子と、後述する記録済みメモリに保持されている特定シーン区間識別子とを比較対照して、未記録の特定シーン区間は、ダビング指定されたコンテンツの特定シーン区間の情報として、既に、外部記録媒体７に記録済みの特定シーン区間の情報であるか否かをチェックし（ステップＳ１７２）、そのチェック結果として記録済みであるかどうかを判別する（ステップＳ１７３）。
【０２４１】
ステップＳ１７３で、未記録の特定シーン区間は、既に記録済みであると判別したときには、システムコントローラ部２０は、付加情報ファイルを参照して、ダビング指定された情報信号中に、記録していない特定シーン区間があるか否か判別する（ステップＳ１８０）。このステップＳ１８０で、未記録の特定シーン区間があると判別したときには、システムコントローラ部２０は、付加情報ファイルの次の特定シーン区間の特定シーン区間識別子を参照する（ステップＳ１８１）。そして、その後、ステップＳ１７２に戻り、このステップＳ１７２以降の処理を繰り返す。
【０２４２】
また、ステップＳ１７３で、未記録の特定シーン区間は記録済みではないと判別したときには、システムコントローラ部２０は、記録媒体５からの読み出し位置を、その特定シーン区間の開始点を含むＧＯＰ単位のデータに設定し（ステップＳ１７４）、その特定シーン区間のＧＯＰ単位の記録データの読み出しを行ない、その読み出した記録データを、外部記録媒体７にダビング記録するように制御する（ステップＳ１７５）。
【０２４３】
そして、システムコントローラ部２０は、付加情報ファイルを参照して、当該特定シーン区間の終了点を含むＧＯＰを監視し（ステップＳ１７６）、終了点を含むＧＯＰになるまで、ステップＳ１７５を継続する。そして、ステップＳ１７６で、ダビング記録中の特定シーン区間の終了点を含むＧＯＰを判別すると、システムコントローラ部２０は、記録媒体５からの読み出しを一時停止する（ステップＳ１７７）。
【０２４４】
そして、システムコントローラ部２０は、記録した特定シーン区間の特定シーン区間識別子を記録済みメモリ（図１には図示は省略した）に書き込んで保持する（ステップＳ１７８）。
【０２４５】
そして、システムコントローラ部２０は、記録した特定シーン区間の記録開始アドレスおよび終了アドレスを、その特定シーン区間識別子とを対応させた特定シーン区間記録アドレス情報を再生時の管理情報の一つとして一時保持する（ステップＳ１７９）。その後、システムコントローラ部２０は、ステップＳ１８０に戻り、記録していない特定シーン区間が有るか否か判別する。
【０２４６】
そして、ステップＳ１８０で記録媒体５に未記録の特定シーン区間がなくなったと判別したときには、システムコントローラ部２０は、ステップＳ１６８で一時保持していた図１８に示したような各放送番組コンテンツ毎のコンテンツ用付加情報ファイルと、ステップＳ１７８で一時保持していた、図１９に示したような、記録した特定シーン区間の特定シーン区間識別子と、その外部記録媒体７上の記録開始アドレスおよび終了アドレスとの対応情報からなる特定シーン区間記録アドレス情報ファイルとを、複製付加情報ファイルとして生成し、ダビング先である外部記録媒体７に記録する（ステップＳ１８２）。
【０２４７】
これで、ダビング指定された複数個の放送番組コンテンツについてのダビング処理が終了となり、システムコントローラ部２０は、ダビングの終了処理をする（ステップＳ１８３）。このダビングの終了処理においては、例えば、ステップＳ１６８での一時保持情報やステップＳ１７９での一時保持情報のクリアおよびステップＳ１７８で用いる記録済みメモリをクリアする処理などを行なう。
【０２４８】
なお、上述の説明では省略したが、ダビング後の記録データには、単純ダビングしたものであるか、また、圧縮ダビングしたものであるかを示すダビングモード情報が、付随情報として、対応付けられて記録されている。さらに、圧縮ダビングした記録データには、等速ダビングをしたものであるか、あるいは高速ダビングをしたものであるかを示すダビング速度の情報も、付随情報として、ダビング後の記録データに対応付けられて記録されている。
【０２４９】
［第３の実施形態］
第３の実施形態は、第２の実施形態の発展形である。すなわち、第２の実施形態では、ダビング指定された複数個の放送番組コンテンツについて、特定シーン区間の情報を共通に扱って、よりダビング後の記録データの削減を図るようにした。
【０２５０】
この第３の実施形態では、ダビング指定されたコンテンツのグループ毎ではなく、複製先の記録媒体に記録されるダビングコンテンツの全てに共通に、特定シーン区間の情報を取り扱うようにする。
【０２５１】
すなわち、複製先の記録媒体には、特定シーン区間の情報の記録エリア（特定シーン区間情報群記録エリア）を別個に設け、この特定シーン区間情報群記録エリアに、当該記録媒体にダビング記録される放送番組コンテンツに含まれる特定シーン区間の情報を、重複無く記録するようにする。
【０２５２】
また、特定シーン区間情報群記録エリアには、図１９に示したような特定シーン区間識別子と、その記録アドレスとを対応つけた特定シーン区間記録アドレス情報ファイルを併せて記録しておくようにする。ただし、この第３の実施形態の場合には、特定シーン区間記録アドレス情報ファイルは、図１９に示したような複数個のコンテンツとの対応関係は不要であり、当該記録媒体に記録された全てのダビングコンテンツに対応付けられることになる。
【０２５３】
この第３の実施形態の場合には、図２１のステップＳ１４８および図２３のステップＳ１７８は不要となり、図２１のステップＳ１４９および図２３のステップＳ１７９で、新たにダビング記録した特定シーン区間の記録開始アドレスおよび記録終了アドレスを、記録アドレス情報として、前記特定シーン区間記録アドレス情報ファイルに追加記録する。
【０２５４】
そして、図２１のステップＳ１４２および図２３のステップＳ１７２において、ダビング済みの特定シーン区間であるか否かは、前記特定シーン区間記録アドレス情報ファイルの特定シーン区間識別子を参照することにより行なうものである。
【０２５５】
この第３の実施形態によれば、記録媒体にダビング記録された放送番組コンテンツの全てについて、特定シーン区間の情報が共通に扱われるので、重複が無くなり、記録容量を効率良く利用できるようになる。
【０２５６】
［第４の実施形態］
第４の実施形態は、言わば第３の実施形態の変形例とも言うべきものである。すなわち、第４の実施形態においては、複製元の情報信号を、第３の実施形態で説明した複製先の記録データと同様の形式で、複製元の第１の記録媒体に記録しておくようにする。このため、第４の実施形態においては、複製時の処理が簡単なものとなる。
【０２５７】
図２４は、この第４の実施形態における複製元の情報信号の記録データを説明するための図であり、この例においても、情報信号が放送番組コンテンツである場合である。
【０２５８】
第４の実施形態では、第１の記録媒体への複製元の情報信号の記録は、初期記録処理と、事後処理とからなる。
【０２５９】
初期記録処理は、上述の実施形態における複製元の情報信号の記録と全く同様で、図２４（Ａ）に示すように、特定シーン区間の検出を行ないながら、特定シーン区間を含む情報信号をそのまま記録する処理であり、特定シーン区間識別子を生成して、付加情報ファイルを生成して記録する処理までを含む。
【０２６０】
事後処理は、初期記録処理で記録された情報信号について、初期記録処理時に生成した付加情報ファイルを参照しながら、再記録を行なう処理である。この事後処理による再記録により、この例の情報信号である放送番組コンテンツを、図４（Ｂ）に示すように、番組本編情報と、特定シーン区間の情報とに分離すると共に、複製元の第１の記録媒体には、特定シーン区間情報群記録エリアを別個に設けて、特定シーン区間の情報は、記録される複製元情報信号に共通の特定シーン区間情報群として、当該特定シーン区間情報群記録エリアに、重複無く記録するようにする。
【０２６１】
そして、事後処理においては、複製元の各放送番組コンテンツに対しては、それぞれのコンテンツ用付加情報ファイルとして、図４（Ｂ）に示すように、特定シーン区間の本編情報に対する存在位置の情報と、特定シーン区間識別子との対応情報ファイルが記録される。さらに、特定シーン区間情報群記録エリアに記録された特定シーン区間の情報を管理するための情報として、図４（Ｂ）に示すように、特定シーン区間識別子と、その記録アドレス情報との対応情報からなる特定シーン区間記録アドレス情報ファイルが記録される。
【０２６２】
初期記録処理により、第１の記録媒体に記録された情報は、そのまま残すようにしても良いし、事後処理が終了した後、消去してしまうようにしてもよい。
【０２６３】
初期記録処理後の記録データを残すようにした場合には、単純ダビングモードの時には、当愛初期記録処理後の記録データを用いてダビング記録を行ない、圧縮ダビングモードの時には、事後処理後の記録データを用いてダビング記録を行なうようにすることができる。
【０２６４】
一方、初期記録処理後の記録データを消去してしまう場合には、単純ダビングモードの処理が問題となるが、事後処理後の記録データを前述したノーマル速度再生して、特定シーン区間を本編情報に挿入しながら等速ダビングを行なうことにより、単純ダビングモードを実行することができる。
【０２６５】
この第４の実施形態における第１の記録媒体への記録データ処理を、図２５〜図２７のフローチャートを参照しながら説明する。この記録データ処理の例は、第１の記録媒体の例としての記録媒体５への記録データ処理であって、前述した図６に示したフローチャートのステップＳ３における処理に対応し、図２５のステップＳ１９１〜ステップＳ２００までの処理は、図８に示したステップＳ２１〜ステップＳ３０までの処理と全く同様の処理である。
【０２６６】
ただし、この第４の実施形態においては、ステップＳ３０に対応するステップＳ２００の処理で記録終了となるのではなく、このステップＳ２００までの処理を前記初期記録処理とし、その後に、図２６および図２７に示すような事後処理が続くものである。
【０２６７】
すなわち、ステップＳ２００までの処理が終了して初期記録処理が終了すると、システムコントローラ部２０は、記録媒体５から初期記録処理により記録された放送番組コンテンツの付加情報ファイルの特定シーン区間の位置情報および特定シーン区間識別子を先読みしながら、放送番組コンテンツの記録データの読み出しを開始するようにする（図２６のステップＳ２０１）。
【０２６８】
そして、システムコントローラ部２０は、再生デコード出力部１０において、読み出した放送番組コンテンツの記録データを伸張デコードし、その伸張デコード出力を記録エンコード処理部３に供給して、再度、圧縮エンコードするように制御する（ステップＳ２０２）。
【０２６９】
これと並行して、システムコントローラ部２０は、読み出した放送番組コンテンツについての付加情報ファイルの特定シーン区間の位置情報を参照して、特定シーン区間の開始点を監視し（ステップＳ２０３）、特定シーン区間の開始点でないときには、エンコードした記録データを記録媒体５に記録するように制御する（ステップＳ２０４）。
【０２７０】
そして、システムコントローラ部２０は、初期記録された放送番組コンテンツの事後処理による本編情報の記録が終了したか否か判別し（ステップＳ２０５）、本編情報の記録終了ではないと判別したときには、ステップＳ２０１に戻り、このステップＳ２０１以降の処理を繰り返す。
【０２７１】
また、ステップＳ２０３で特定シーン区間の開始点であると判別したときには、システムコントローラ部２０は、初期記録された放送番組コンテンツの記録データの読み出し、デコードおよびエンコードを一時停止する（ステップＳ２０７）。そして、システムコントローラ部２０は、記録媒体５からの記録データの読み出し位置を特定シーン区間の開始点から終了点までジャンプし（ステップＳ２０８）、特定シーン区間の存在位置情報を一時記憶する（ステップＳ２０９）。そして、システムコントローラ部２０は、記録媒体５からの記録データの読み出し、デコードおよびエンコードを再開し（ステップＳ２１０）、ステップＳ２０３に戻り、このステップＳ２０３以降の処理を繰り返す。
【０２７２】
また、ステップＳ２０５で、初期記録された放送番組コンテンツの本編情報の記録が終了したと判別したときには、ステップＳ２０９で一時保持した特定シーン区間の存在位置と対応する特定シーン区間識別子との対応情報からなるコンテンツ用付加情報ファイルを生成し、生成したコンテンツ用付加情報ファイルを、放送番組コンテンツの識別情報により対応付けて、記録媒体５に記録する（ステップＳ２０６）。その後、システムコントローラ部２０は、特定シーン区間の情報の事後記録処理を行なう。
【０２７３】
すなわち、システムコントローラ部２０は、付加情報ファイルを参照して、初期記録された情報信号中における最初の特定シーン区間の特定シーン区間識別子を参照する（図２７のステップＳ２２１）。
【０２７４】
そして、システムコントローラ部２０は、その特定シーン区間の特定シーン区間識別子と、記録媒体５の特定シーン区間管理情報（この例では、特定シーン区間記録アドレス情報ファイル）に記録されている特定シーン区間識別子とを比較対照して、未記録の特定シーン区間は、特定シーン区間情報群の一つとして、既に、記録媒体５に記録済みの特定シーン区間の情報であるか否かをチェックし（ステップＳ２２２）、そのチェック結果として記録済みであるかどうかを判別する（ステップＳ２２３）。
【０２７５】
ステップＳ２２３で、未記録の特定シーン区間は、既に記録済みであると判別したときには、システムコントローラ部２０は、付加情報ファイルを参照して、初期記録された情報信号中に、記録していない特定シーン区間があるか否か判別する（ステップＳ２２９）。このステップＳ２２９で、未記録の特定シーン区間があると判別したときには、システムコントローラ部２０は、付加情報ファイルの次の特定シーン区間の特定シーン区間識別子を参照する（ステップＳ２３０）。そして、その後、ステップＳ２２２に戻り、このステップＳ２２２以降の処理を繰り返す。
【０２７６】
また、ステップＳ２２３で、未記録の特定シーン区間は記録済みではないと判別したときには、システムコントローラ部２０は、記録媒体５からの読み出し位置を、その特定シーン区間の開始点に設定し（ステップＳ２２４）、その特定シーン区間の記録データの読み出しを行ない、その読み出した記録データを伸張デコードし、その伸張デコード出力を記録エンコード処理して、記録媒体５の特定シーン区間群記録エリアに追加記録するように制御する（ステップＳ２２５）。
【０２７７】
そして、システムコントローラ部２０は、付加情報ファイルを参照して、当該特定シーン区間の終了点を監視し（ステップＳ２２６）、終了点になるまで、ステップＳ２２５を継続する。そして、ステップＳ２２６で、記録中の特定シーン区間の終了点を判別すると、システムコントローラ部２０は、記録媒体５からの読み出し、デコードおよびエンコードを一時停止する（ステップＳ２２７）。
【０２７８】
そして、システムコントローラ部２０は、特定シーン区間管理情報ファイルの例としての記録媒体５の特定シーン区間記録アドレス情報ファイルに、記録した特定シーン区間について識別子と、その記録アドレスを追加記録して、前記ファイルを更新する（ステップＳ２２８）。そして、システムコントローラ部２０は、その後、ステップＳ２２９に戻り、再記録していない特定シーン区間が有るか否か判別する。
【０２７９】
そして、ステップＳ２２９で、記録媒体５の初期記録データ中に未記録の特定シーン区間がなくなったと判別したときには、システムコントローラ部２０は、第１の記録媒体である記録媒体５への記録処理を終了する記録終了処理をし（ステップＳ２３１）、この記録処理ルーチンを終了する。
【０２８０】
［圧縮ダビングモードの等速ダビング］
この第４の実施形態における圧縮ダビングモードにおけるダビング記録は、事後処理された後の記録データを用いて行なわれる。この第４の実施形態における圧縮ダビングモードの等速ダビングの処理を、図２８および図２９のフローチャートを参照しながら説明する。
【０２８１】
先ず、システムコントローラ部２０は、ダビング対象の放送番組コンテンツの指定を受け付ける（ステップＳ２４１）。このとき、この例では、図示は省略するが、表示部２４の表示画面に、記録媒体５に記録されているダビング可能な放送番組コンテンツのリストを表示して、当該表示画面の放送番組コンテンツのリストから、ユーザによるユーザ入力インターフェース部２１を通じたダビング対象の放送番組コンテンツの指定を受け付けるようにする。
【０２８２】
次に、システムコントローラ部２０は、記録媒体５からダビング指定された放送番組コンテンツの本編情報の記録データ（図２４（Ｂ）参照）の読み出しを開始するようにする（ステップＳ２４２）。
【０２８３】
そして、システムコントローラ部２０は、再生デコード出力部１０において、指定された放送番組コンテンツの本編情報の記録データを伸張デコードし、その伸張デコード出力を記録エンコード処理部３に供給して、再度、圧縮エンコードするように制御する（ステップＳ２４３）。そして、システムコントローラ部２０は、エンコードした本編情報のデータをダビング先である外部記録媒体７に記録するように制御する（ステップＳ２４４）。
【０２８４】
そして、システムコントローラ部２０は、ダビング指定された放送番組コンテンツの本編情報のダビングが終了したか否か判別し（ステップＳ２４５）、ダビング終了ではないと判別したときには、ステップＳ２４２に戻り、このステップＳ２４２以降の処理を繰り返す。
【０２８５】
また、ステップＳ２４５で、ダビング指定されたコンテンツの本編情報のダビングが終了したと判別したときには、当該ダビング指定されたコンテンツのコンテンツ用付加情報ファイル（図２４（Ｂ）参照）を、外部記録媒体７にダビング記録する（ステップＳ２４６）。
【０２８６】
次に、システムコントローラ部２０は、ダビング指定されたコンテンツが他にあるか否か判別する（ステップＳ２４７）。そして、ダビング指定されたコンテンツが他にあると判別したときには、システムコントローラ部２０は、ステップＳ２４２に戻り、このステップＳ２４２以降の処理を繰り返す。すなわち、ダビング指定された複数のコンテンツがあるときには、それらの本編情報のみが、先ず、ダビング記録される。
【０２８７】
ステップＳ２４７で、ダビング指定されたコンテンツが他にないと判別したときには、システムコントローラ部２０は、特定シーン区間の情報の等速ダビング処理を行なう。すなわち、システムコントローラ部２０は、本編情報をダビング記録したコンテンツのコンテンツ用付加情報ファイルを参照して、ダビング指定されたコンテンツの情報信号中における最初の特定シーン区間の特定シーン区間識別子を参照する（図２９のステップＳ２５１）。
【０２８８】
そして、システムコントローラ部２０は、その特定シーン区間の特定シーン区間識別子と、複製先の外部記録媒体７の特定シーン区間管理情報である特定シーン区間記録アドレス情報ファイルに既に登録されている特定シーン区間識別子とを比較対照して、当該特定シーン区間は、既に、外部記録媒体７に記録済みの特定シーン区間の情報であるか否かをチェックし（ステップＳ２５２）、そのチェック結果として記録済みであるかどうかを判別する（ステップＳ２５３）。
【０２８９】
ステップＳ２５３で、参照中の特定シーン区間は、既に記録済みであると判別したときには、システムコントローラ部２０は、ダビング指定された情報信号中に、参照していない特定シーン区間があるか否か判別する（ステップＳ２６０）。このステップＳ２６０で、未記録の特定シーン区間があると判別したときには、システムコントローラ部２０は、付加情報ファイルの次の特定シーン区間の特定シーン区間識別子を参照する（ステップＳ２６１）。そして、その後、ステップＳ２５２に戻り、このステップＳ２５２以降の処理を繰り返す。
【０２９０】
ステップＳ２５３で、参照中の特定シーン区間は、外部記録媒体７には記録済みではないと判別したときには、システムコントローラ部２０は、記録媒体５からの読み出し位置を、その特定シーン区間の情報の開始点に設定し（ステップＳ２５４）、その特定シーン区間の記録データの読み出しを行ない、その読み出した記録データを伸張デコードし、その伸張デコード出力を記録エンコード処理して（ステップＳ２５５）、外部記録媒体７の特定シーン区間情報群記録エリアに追加記録するように制御する（ステップＳ２５６）。
【０２９１】
そして、システムコントローラ部２０は、コンテンツ用付加情報ファイルを参照して、当該特定シーン区間の終了点を監視し（ステップＳ２５７）、終了点になるまで、ステップＳ２５６を継続する。そして、ステップＳ２５７で、ダビング記録中の特定シーン区間の終了点を判別すると、システムコントローラ部２０は、記録媒体５からの特定シーン区間のデータの読み出し、デコードおよびエンコードを一時停止する（ステップＳ２５８）。
【０２９２】
そして、システムコントローラ部２０は、ダビング先の外部記録媒体７の特定シーン区間情報記録エリアの特定シーン区間管理情報、すなわち、この例では、特定シーン区間記録アドレス情報ファイルに、記録された特定シーン区間の情報の記録アドレスを追加記録して、特定シーン区間記録アドレス情報ファイルを更新する（ステップＳ２５９）。
【０２９３】
その後、システムコントローラ部２０は、ステップＳ２６０に戻り、このステップＳ２６０以降の処理を繰り返す。そして、ステップＳ２６０で記録媒体５のダビング指定された複製元コンテンツに未記録の特定シーン区間がなくなったと判別したときには、システムコントローラ部２０は、この等速ダビングの処理終了をし（ステップＳ２６２）、この処理ルーチンを終了する。
【０２９４】
［圧縮ダビングモードの高速ダビング］
次に、この第４の実施形態における圧縮ダビングモードの高速ダビングの処理動作を、図３０および図３１のフローチャートを参照しながら説明する。
【０２９５】
先ず、システムコントローラ部２０は、ダビング対象の放送番組コンテンツの指定を受け付ける（ステップＳ２６１）。このとき、この例では、図示は省略するが、表示部２４の表示画面に、記録媒体５に記録されているダビング可能な放送番組コンテンツのリストを表示して、当該表示画面の放送番組コンテンツのリストから、ユーザによるユーザ入力インターフェース部２１を通じたダビング対象の放送番組コンテンツの指定を受け付けるようにする。
【０２９６】
次に、システムコントローラ部２０は、記録媒体５からダビング指定された放送番組コンテンツの本編情報の記録データの読み出しを開始するようにする（ステップＳ２６２）。この高速ダビングのときには、記録データは伸張デコードおよび再圧縮エンコード処理は行なわずに、ＧＯＰ単位のデータダビングを行なうので、システムコントローラ部２０は、記録媒体５からＧＯＰ単位で本編情報の記録データを読み出し、再生処理部９を通じて記録処理部４にその記録データを供給して、外部記録媒体処理部６を通じて外部記録媒体７にダビング記録させる処理を行なうように制御する（ステップＳ２６３）。
【０２９７】
次に、システムコントローラ部２０は、ダビング指定された放送番組コンテンツの本編情報のダビングが終了したか否か判別し（ステップＳ２６４）、終了していないと判別したときには、ステップＳ２６２に戻り、このステップＳ２６２以降の処理を繰り返す。
【０２９８】
そして、ステップＳ２６４で、指定された放送番組コンテンツの本編情報のダビングが終了したと判別したときには、システムコントローラ部２０は、当該ダビング指定されたコンテンツのコンテンツ用付加情報ファイル（図２４（Ｂ）参照）を、外部記録媒体７にダビング記録する（ステップＳ２６５）。
【０２９９】
次に、システムコントローラ部２０は、ダビング指定されたコンテンツが他にあるか否か判別する（ステップＳ２６６）。そして、ダビング指定されたコンテンツが他にあると判別したときには、システムコントローラ部２０は、ステップＳ２６２に戻り、このステップＳ２６２以降の処理を繰り返す。すなわち、ダビング指定された複数のコンテンツがあるときには、それらの本編情報のみが、先ず、ダビング記録される。
【０３００】
ステップＳ２６６で、ダビング指定されたコンテンツが他にないと判別したときには、システムコントローラ部２０は、特定シーン区間の情報の高速ダビング処理を行なう。すなわち、システムコントローラ部２０は、付加情報ファイルを参照して、ダビング指定された情報信号中における最初の特定シーン区間の特定シーン区間識別子を参照する（図３１のステップＳ２７１）。
【０３０１】
そして、システムコントローラ部２０は、その特定シーン区間の特定シーン区間識別子と、複製先の外部記録媒体７の特定シーン区間管理情報である特定シーン区間記録アドレス情報ファイルに既に登録されている特定シーン区間識別子とを比較対照して、当該特定シーン区間は、既に、外部記録媒体７に記録済みの特定シーン区間の情報であるか否かをチェックし（ステップＳ２７２）、そのチェック結果として記録済みであるかどうかを判別する（ステップＳ２７３）。
【０３０２】
ステップＳ２７３で、参照中の特定シーン区間は、既に記録済みであると判別したときには、システムコントローラ部２０は、ダビング指定された情報信号中に、参照していない特定シーン区間があるか否か判別する（ステップＳ２７９）。このステップＳ２７９で、未記録の特定シーン区間があると判別したときには、システムコントローラ部２０は、付加情報ファイルの次の特定シーン区間の特定シーン区間識別子を参照する（ステップＳ２８０）。そして、その後、ステップＳ２７２に戻り、このステップＳ２７２以降の処理を繰り返す。
【０３０３】
ステップＳ２７３で、参照中の特定シーン区間は、外部記録媒体７には記録済みではないと判別したときには、システムコントローラ部２０は、記録媒体５からの読み出し位置を、その特定シーン区間の情報の開始点に設定し（ステップＳ２７４）、その特定シーン区間の記録データのＧＯＰ単位の読み出しを行ない、その読み出したＧＯＰ単位の記録データを、外部記録媒体７の特定シーン区間情報群記録エリアに追加記録するように制御する（ステップＳ２７５）。
【０３０４】
そして、システムコントローラ部２０は、コンテンツ用付加情報ファイルを参照して、当該特定シーン区間の終了点を監視し（ステップＳ２７６）、終了点になるまで、ステップＳ２７５を継続する。そして、ステップＳ２７６で、ダビング記録中の特定シーン区間の終了点を判別すると、システムコントローラ部２０は、記録媒体５からの特定シーン区間のデータの読み出しを一時停止する（ステップＳ２７７）。
【０３０５】
そして、システムコントローラ部２０は、ダビング先の外部記録媒体７の特定シーン区間情報記録エリアの特定シーン区間管理情報、すなわち、この例では、特定シーン区間記録アドレス情報ファイルに、記録された特定シーン区間の情報の記録アドレスを追加記録して、特定シーン区間記録アドレス情報ファイルを更新する（ステップＳ２７８）。
【０３０６】
その後、システムコントローラ部２０は、ステップＳ２７９に戻り、このステップＳ２７９以降の処理を繰り返す。そして、ステップＳ２７９で記録媒体５のダビング指定された複製元コンテンツに未記録の特定シーン区間がなくなったと判別したときには、システムコントローラ部２０は、この高速ダビングの処理終了をし（ステップＳ２８１）、この処理ルーチンを終了する。
【０３０７】
なお、上述の第４の実施形態の説明では、第１の記録媒体への記録における事後処理においては、初期記録した記録データをデコードし、再エンコードして本編情報と特定シーン区間情報とを分離して記録したが、上述した第１〜第３の実施形態の圧縮ダビングモードにおける高速ダビングと同様に、初期記録した記録データをＧＯＰ単位で、圧縮した状態で高速記録するようにすることもできる。
【０３０８】
なお、上述の第４の実施形態の説明では、第１の記録媒体への記録における事後処理においては、特定シーン区間の情報は、同じ特定シーン区間識別子のものは一つのみとして纏めて記録するようにしたが、事後処理においては、単純に、特定シーン区間を抽出順に記録しておき、特定シーン区間の情報のダビング記録時に、同じ特定シーン区間識別子のものは一つのみとして纏めて記録するようにしてもよい。
【０３０９】
［第５の実施形態］
上述の実施形態では、ダビング時に、複製元の記録データのデータ量と、複製先の記録媒体の空き容量とは考慮していないので、空き容量が少ない場合には、複製元の記録データのダビングを失敗することがある。第５の実施形態は、この点を改善してダビング処理を行なうようにする場合の例である。
【０３１０】
図３２は、この第５の実施形態の場合における記録再生装置のハードウエア構成例のブロック図である。この図３２の記録再生装置は、図１に示した第１〜第４の実施形態の記録再生装置のハードウエア構成例のブロック図とは、ダビング記録データ量算出部２６が、システムコントローラ部２０に対して接続される点が異なるのみで、その他は、同様である。このダビング記録データ量算出部２６は、システムコントローラ部２０のソフトウエアプログラムによるソフトウエア処理して構成することもできる。
【０３１１】
また、システムコントローラ部２０におけるダビング処理のソフトウエアプログラムは、ダビング実行処理そのものは、前述した第１〜第４で説明したダビング実行処理を用いることができるものである。しかし、この第５の実施形態では、ダビング処理開始前のダビング用ユーザインターフェース処理が、他の実施形態とは異なるものである。
【０３１２】
図３３〜図３５のフローチャートおよびダビング用ユーザインターフェース画面の例である図３６、図３７を参照して、この第５の実施形態におけるダビング用ユーザインターフェース処理について以下に説明する。なお、図３６および図３７のダビング用ユーザインターフェース画面は、ダビング用ユーザインターフェース生成部２５において生成されるものである。
【０３１３】
ユーザがダビングの要求操作をユーザ入力インターフェース部２１を通じて行なうと、システムコントローラ部２０は、ダビング用操作画面を表示する（ステップＳ２９１）。このダビング用操作画面には、複製元の第１の記録媒体、例えば記録媒体５に記録されているダビング元の放送番組コンテンツの一覧リストが表示され、ユーザは、この一覧リストから、ダビングを希望するコンテンツの選択指定をすることができる。また、ダビング用操作画面には、単純ダビングと圧縮ダビングのいずれを希望するかの問い合わせ表示もなされており、ユーザからの選択指定を受け付ける。
【０３１４】
システムコントローラ部２０は、ユーザからのダビングモードの選択指定を受け付けて（ステップＳ２９２）、単純ダビングと圧縮ダビングのいずれが選択されたかを判別する（ステップＳ２９３）。
【０３１５】
ステップＳ２９３で、単純ダビングが選択されたと判別したときには、システムコントローラ部２０は、先ず、ダビング対象のコンテンツの選択指定を受け付ける（ステップＳ２９４）。そして、システムコントローラ部２０は、ダビング記録データ量算出部２６によりダビング元の放送番組コンテンツのデータ量ＭＡと、ダビング先の記録媒体、例えば外部記録媒体７の空き容量ＭＢとを計算する（ステップＳ２９５）。
【０３１６】
そして、システムコントローラ部２０は、指定された放送番組コンテンツの単純ダビングが可能であるか否かを判別する（ステップＳ２９６）。このステップＳ２９６で、データ量ＭＡ≦空き容量ＭＢであって、単純ダビングが可能であると判別したときには、システムコントローラ部２０は、表示部２４の表示画面に単純ダビングが可能であることを報知する操作用画面を表示する（ステップＳ２９７）。この操作用画面には、「ダビング実行」、「中止」などの操作アイコンが表示されている。
【０３１７】
システムコントローラ部２０は、前記操作用画面において、「ダビング実行」のアイコンが操作されて、ダビング実行指示がなされたか否か判別し（ステップＳ２９８）、ダビング実行指示があったと判別したときには、単純ダビングを実行し（ステップＳ２９９）、ダビング終了後、このダビング用ユーザインターフェース処理を終了する。
【０３１８】
また、ステップＳ２９８で、ダビング実行指示がなされていないと判別したときには、システムコントローラ部２０は、「中止」のアイコンが操作されて、ダビング中止指示がなされたか否か判別し（ステップＳ３００）、中止指示がなされていないと判別したときには、ステップＳ２９４に戻り、ダビング対象の放送番組コンテンツの変更を受け付ける。またステップＳ３００で、中止指示がなされたと判別したときには、このダビング用ユーザインターフェース処理を終了する。
【０３１９】
また、ステップＳ２９６で、データ量ＭＡ＞空き容量ＭＢであって、単純ダビングが可能ではないと判別したときには、システムコントローラ部２０は、「単純ダビングは不可であるので、圧縮ダビングモードに移行するかどうかの問い合わせメッセージ」を表示画面に表示する（図３４のステップＳ３１１）。
【０３２０】
そして、システムコントローラ部２０は、前記問い合わせメッセージに対するユーザの回答操作を受けて、圧縮ダビングモードへ移行するかどうかを判別する（ステップＳ３１２）。このステップＳ３１２で、圧縮ダビングモードへは移行しないと判別したときには、システムコントローラ部２０は、図３３のステップＳ３００に戻り、ダビング中止指示がなされたか否か判別し、その判別結果に応じた前述した処理を行なう。
【０３２１】
ステップＳ３１２で、圧縮ダビングモードへ移行すると判別したときには、システムコントローラ部２０は、ダビング対象のコンテンツの選択指定を受け付ける（ステップＳ３１３）。そして、システムコントローラ部２０は、ダビング記録データ量算出部２６により圧縮ダビング後の放送番組コンテンツの全編データ量ＭＣと、特定シーン区間の情報を除く本編情報のみの圧縮ダビング後のデータ量ＭＤと、この例のダビング先の記録媒体である外部記録媒体７の空き容量ＭＢとを計算する（ステップＳ３１４）。
【０３２２】
そして、システムコントローラ部２０は、指定された放送番組コンテンツの全編データの圧縮ダビングが可能であるか否かを判別する（ステップＳ３１５）。ステップＳ３１５で、データ量ＭＣ≦空き容量ＭＢであって、指定された放送番組コンテンツの全編データの圧縮ダビングが可能であると判別したときには、システムコントローラ部２０は、表示部２４の表示画面に、指定された放送番組コンテンツの全編データの圧縮ダビングが可能であることを報知する操作用画面を表示する（ステップＳ３１６）。この操作用画面には、「ダビング実行」、「中止」などの操作アイコンが表示されている。
【０３２３】
システムコントローラ部２０は、前記操作用画面において、「ダビング実行」のアイコンが操作されて、ダビング実行指示がなされたか否か判別し（ステップＳ３１７）、ダビング実行指示があったと判別したときには、前述したような圧縮ダビングを実行し（ステップＳ３１８）、ダビング終了後、このダビング用ユーザインターフェース処理を終了する。
【０３２４】
また、ステップＳ３１７で、ダビング実行指示がなされていないと判別したときには、システムコントローラ部２０は、「中止」のアイコンが操作されて、ダビング中止指示がなされたか否か判別し（ステップＳ３１９）、中止指示がなされていないと判別したときには、ステップＳ３１３に戻り、ダビング対象の放送番組コンテンツの変更を受け付ける。またステップＳ３１９で、中止指示がなされたと判別したときには、このダビング用ユーザインターフェース処理を終了する。
【０３２５】
また、ステップＳ３１５で、データ量ＭＣ＞空き容量ＭＢであって、指定された放送番組コンテンツの全編データの圧縮ダビングが可能ではないと判別したときには、システムコントローラ部２０は、本編情報のみの圧縮ダビング後のデータ量ＭＤと、前記空き容量ＭＢとを比較して、本編情報のみであれば圧縮ダビングが可能であるかどうか判別する（図３５のステップＳ３２１）。
【０３２６】
ステップＳ３２１で、本編情報のみであれば圧縮ダビングが可能であると判別したときには、「ダビング指定されたコンテンツは、本編情報のみであれば圧縮ダビングが可能であるので、その圧縮ダビングの実行をするかどうかの問い合わせメッセージ」を表示画面に表示する（ステップＳ３２２）。この表示画面には、「ダビング実行」、「中止」などの操作アイコンが表示されている。
【０３２７】
システムコントローラ部２０は、前記表示画面において、「ダビング実行」のアイコンが操作されて、ダビング実行指示がなされたか否か判別し（ステップＳ３２３）、ダビング実行指示があったと判別したときには、前述したような圧縮ダビングを実行し（ステップＳ３２４）、ダビング終了後、このダビング用ユーザインターフェース処理を終了する。
【０３２８】
また、ステップＳ３２４で、ダビング実行指示がなされていないと判別したときには、システムコントローラ部２０は、「中止」のアイコンが操作されて、ダビング中止指示がなされたか否か判別し（ステップＳ３２６）、中止指示がなされていないと判別したときには、図３４のステップＳ３１３に戻り、圧縮ダビング対象の放送番組コンテンツの変更を受け付ける。またステップＳ３２６で、中止指示がなされたと判別したときには、このダビング用ユーザインターフェース処理を終了する。
【０３２９】
また、ステップＳ３２１で、本編情報のみの圧縮ダビング後のデータ量ＭＤ＞空き容量ＭＢであって、指定された放送番組コンテンツの本編情報のみの圧縮ダビングが可能ではないと判別したときには、システムコントローラ部２０は、圧縮ダビングができない旨を表示画面に表示し（ステップＳ３２５）、ステップＳ３２６に進み、このステップＳ３２６以降の処理を行なう。
【０３３０】
圧縮ダビングモードにおける表示画面の例を図３６および図３７に示す。図３６は、第１の例である。そして、図３６（Ａ）は、ステップＳ３１６における表示画面例を示し、ダビング対象の放送番組コンテンツの一覧リスト３１において、斜線を付したコンテンツがダビング指定されているコンテンツを示している。
【０３３１】
また、円筒図形３２は、この例の第１の記録媒体（複製元）としてのハードディスクを示し、また、２重の楕円図形３３は、この例の第２の記録媒体（複製先）としてのＤＶＤを示している。そして、円グラフ３４は、複製指定されたコンテンツのデータ量と、複製先の記録媒体の空き容量との関係を示しており、網点を付した部分が本編情報のみのデータ量、斜線を付して示した部分が特定シーン区間の情報のデータ量を示している。
【０３３２】
また、３５〜３７は、前述した「（ダビング）実行」、「中止」などのアイコンを示している。
【０３３３】
図３６（Ａ）は、圧縮ダビングをしたときには、空き容量Ｍｂよりも、ダビング指定されたコンテンツの全編の圧縮ダビング後のデータ量ＭＣが小さく、全編の圧縮ダビングが可能である状態を示している。
【０３３４】
図３６（Ｂ）は、ダビング指定されたコンテンツが追加されたため、それらの複数のコンテンツの全編のダビングは、空き容量が足りないためできないが、ダビング指定されたコンテンツの本編情報のみであれば、圧縮ダビングができることを示している。この図３６（Ｂ）において、ユーザが、「実行」アイコン３５を操作すると、圧縮ダビングが実行される。
【０３３５】
図３７は、圧縮ダビングモードにおける表示画面の第２の例である。図３６の第１の例と異なるのは、複製指定されたコンテンツのデータ量と、複製先の記録媒体の空き容量との関係を示す図形が、円グラフ３４から棒グラフ３８に変更されている点である。その他は、図３６と全く同様である。
【０３３６】
［第６の実施形態］
第６の実施形態は、図５の実施形態の発展形である。この第６の実施形態では、コンテンツをダビング指定するときに、本編情報および特定シーン区間とを詳細にダビング指定することができるようにして、きめ細かいダビング指定ができるようにする。
【０３３７】
この第６の実施形態の記録再生装置のハードウエア構成は、図３２に示したものと同様であり、図３８〜図４０のダビング用ユーザインターフェース画面は、ダビング用ユーザインターフェース生成部２５において生成されるものである。
【０３３８】
この第６の実施形態においては、例えば、図３８に示すように、複製元のデータ量（圧縮ダビング後のデータ量）は、複製元データ量表示欄４１に表示され、複製先の記録媒体の空き容量は、複製先空き容量表示欄４２に表示されている。
【０３３９】
すなわち、第６の実施形態のこのダビング実行前処理においては、ダビング用データ量計算部２６により、指定されたダビング元の情報信号のデータ量と、ダビング先の記録媒体の空き容量とが計算され、その計算結果が、ダビング用操作画面に反映されるようにされている。
【０３４０】
この図３８（Ａ）の例では、一覧リスト３１で選択指定されたダビング希望コンテンツの複製元のデータ量は、「５ギガバイト」で、空き容量「４．７ギガバイト」よりも大きいため、このままではダビングが不可であることを示している。そして、この図３８に示すように、この第６の実施形態では、アイコンとして「詳細設定」アイコン３９が表示されており、より詳細にダビング指定が可能である。
【０３４１】
そして、この「詳細設定」アイコン３９が操作されると、図３８（Ｂ）に示すように、コンテンツ一覧リストは、各コンテンツは本編情報と本編情報以外（特定シーン区間の情報）とに分けられて選択可能に表示される。ユーザは、各コンテンツ毎に、本編情報と、本編情報以外とを別々にダビング指定することができる。
【０３４２】
図３８の例では、コンテンツ１およびコンテンツ２の全編のダビングは、図３８（Ａ）に示すように不可であるが、詳細設定して、コンテンツ１およびコンテンツ２の本編のみを複製対象としたところ、図３８（Ｂ）に示すように圧縮ダビングが可能になったことを示している。
【０３４３】
図３９は、第６の実施形態における他の表示例である。この図３９の例は、図３９（Ｂ）に示すように、各コンテンツが選択されると、それぞれのコンテンツについて、表示欄３１０において、より詳細に、複数の本編情報と、複数の本編情報以外とに分けられて表示され、それぞれの本編情報および本編情報以外を、細かくダビング指定することができるようにされている。
【０３４４】
図４０は、第６の実施形態における、さらに他の表示例である。この図４０の例は、図４０（Ｂ）に示すように、各コンテンツは本編情報と本編以外の２つに分けられると共に、それぞれの本編および本編以外が指定されると、表示欄３１０において、それぞれの内容が、より詳細に、複数の本編情報および複数の本編情報以外とに分けられて表示され、それぞれの本編情報および本編情報以外を、細かくダビング指定することができるようにされている。
【０３４５】
この第６の実施形態においては、単純ダビングの処理動作は、第５の実施形態と全く同様であるので、図３３のフローチャートは、この第６の実施形態においても全く同様に適用できる。この第６の実施形態においては、第５の実施形態の図３４〜図３５のフローチャートの処理に代えて、図４１〜図４３のフローチャートに示すような処理を行なう。
【０３４６】
すなわち、図４１において、ステップＳ３１１〜ステップＳ３１９の部分は、図３４のフローチャートのステップＳ３１１〜ステップＳ３１９の部分と全く同一であるので、同一ステップ番号を付したものである。
【０３４７】
この第６の実施形態では、ステップＳ３１５で、圧縮ダビングモードにおいて、指定されたコンテンツの全編のダビングが不可であると判別したときには、システムコントローラ部２０は、「詳細設定」アイコン３７がユーザにより操作されたか否か判別する（ステップＳ３３１）。
【０３４８】
そして、このステップＳ３３１で、「詳細設定」アイコン３７が操作されていないと判別したときには、システムコントローラ部２０は、図４２のステップＳ３２１に進み、「詳細設定」アイコン３７が操作されたと判別したときには、後述する図４３のステップＳステップＳ３５１に進む。
【０３４９】
また、図４２において、ステップＳ３２１〜ステップＳ３２５の部分は、図３５のフローチャートのステップＳ３２１〜ステップＳ３２５と全く同一であるので、同一ステップ番号を付したものである。
【０３５０】
そして、この第６の実施形態においては、図４２においては、システムコントローラ部２０は、ステップＳ３２１で、本編情報のみであっても圧縮ダビングが不可と判別されたとき、ステップＳ３２５で、その圧縮ダビング不可を表示して、ユーザに報知した後、ユーザ入力を待つようにする（ステップＳ３４１）。
【０３５１】
そして、このステップＳ３４１で、ユーザ入力が受け付けられると、システムコントローラ部２０は、そのユーザ入力が、ダビング対象のコンテンツの指定変更操作であるか否か判別する（ステップＳ３４２）。そして、ステップＳ３４２で、ダビング対象のコンテンツの指定変更操作であると判別したときには、システムコントローラ部２０は、図４１のステップＳ３１３に戻る。
【０３５２】
また、ステップＳ３４２で、ダビング対象のコンテンツの指定変更操作ではないと判別したときには、システムコントローラ部２０は、「詳細設定」アイコン３７がユーザにより操作されて、コンテンツ詳細設定の指示操作がなされたか否か判別する（ステップＳ３４３）。
【０３５３】
このステップＳ３４３で、「詳細設定」アイコン３７が操作されていないと判別したときには、システムコントローラ部２０は、「中止」アイコン３６が操作されて、ダビング中止指示がなされたか否か判別し（ステップＳ３４４）、中止指示がなされていないと判別したときには、ステップＳ３４１に戻り、ユーザ入力を待つ。また、ステップＳ３４４で、中止指示がなされたと判別したときには、このダビング用ユーザインターフェース処理を終了する。
【０３５４】
また、ステップＳ３４３で、「詳細設定」アイコン３７が操作されたと判別したときには、システムコントローラ部２０は、図４３のステップＳ３５１に進むようにする。
【０３５５】
図４３のステップＳ３５１においては、システムコントローラ部２０は、図３８（Ｂ）、図３９（Ｂ）、図４０（Ｂ）に例を示したように、ダビング指定されたコンテンツを、本編情報と、本編情報以外（特定シーン区間の情報）とに分けて、詳細な一覧リストを表示画面に表示するようにする。
【０３５６】
そして、システムコントローラ部２０は、本編情報と、本編情報以外（特定シーン区間の情報）のそれぞれについての、ユーザからの詳細なダビング指定を受け付けたか否か判別し（ステップＳ３５２）、当該詳細なダビング指定を受け付けてはいないと判別したときには、「中止」アイコン３６が操作されて、ダビング中止指示がなされたか否か判別し（ステップＳ３５３）、中止指示がなされていないと判別したときには、ステップＳ３５２に戻り、詳細なダビング指定を受け付けを待つ。また、ステップＳ３５３で、中止指示がなされたと判別したときには、このダビング用ユーザインターフェース処理を終了する。
【０３５７】
また、ステップＳ３５２で、詳細なダビング指定を受け付けたと判別したときには、システムコントローラ部２０は、ダビング記録データ量算出部２６により、詳細なダビング指定された情報の圧縮ダビング後のデータ量ＭＥを計算し（ステップＳ３５４）、そのデータ量ＭＥと、複製先の記録媒体の空き容量ＭＢとを比較して、ダビング可能であるか否か判別する（ステップＳ３５５）。
【０３５８】
そして、システムコントローラ部２０は、図３８〜図４０に示したように、データ量ＭＥと空き容量ＭＢとを、表示欄４１と表示欄４２に表示すると共に、ステップＳ３５５でダビング可能ではないと判別したときには、ダビング不可である旨のメッセージを表示画面に表示し（ステップＳ３５６）、ステップＳ３５２に戻る。
【０３５９】
また、ステップＳ３５５で、ダビング可能であると判別したときには、システムコントローラ部２０は、ダビング可能である旨のメッセージを表示画面に表示して（ステップＳ３５７）、ユーザからのダビング実行指示を待ち（ステップＳ３５８）、「実行」アイコン３５が操作されてユーザによる実行指示があったと判別したときには、圧縮ダビング処理を実行する（ステップＳ３５９）。そして、この圧縮ダビング処理を終了した後、この処理ルーチンを終了する。
【０３６０】
また、ステップＳ３５８で、ダビング実行指示がされていないと判別したときには、システムコントローラ部２０は、ステップＳ３５２に戻り、このステップＳ３５２以降の処理を繰り返す。
【０３６１】
［第７の実施形態］
上述した第１〜第４の実施形態では、放送番組コンテンツを圧縮ダビングモードでダビング記録したときに、本編情報のみの情報と、特定シーン区間の情報とに分離するようにした。そして、第５の実施形態では、空き容量が複製対象の情報データ量に比べて小さいときには、特定シーン区間の全てを削除して本編情報のみをダビングするようにした。
【０３６２】
このため、ダビング記録後の放送番組コンテンツの情報信号としては、番組本編以外の例えばＣＭ区間の全てが削除されてしまうので、ＣＭを提供する側にとっては不利益であり、また、放送番組が、ＣＭ区間の挿入を演出として利用している場合には、番組コンテンツの魅力が損なわれてしまうという問題があった。
【０３６３】
例えば、クイズ番組で回答をＣＭ区間の後で放送するなど、盛り上がり始めたところでＣＭ区間を挿入することで、視聴者の気持ちを引っ張る演出をしたり、いわゆるわくわく感を与えるような演出をしたりしている場合には、ＣＭ区間を全てカットして、番組本編同士をつなげてしまうと、演出効果が得られず、魅力が乏しい番組となってしまう。
【０３６４】
また、放送番組の中には、ＣＭ区間の挿入後に、時間軸を数秒程度前に遡って同じ場面を再度、いわゆるかぶって放送するように演出する場合（ロールバック）があるが、上述した非特許文献１の機能を用いて、ＣＭ区間を全てカットしてしまうと、当該ロールバックの部分では、単に同じ場面が数秒程度連続したものとなってしまうという問題がある。
【０３６５】
第７の実施形態は、この問題点にかんがみ、ＣＭを提供する側にとっての不利益を軽減すると共に、放送番組が、ＣＭ区間の挿入を演出として利用している場合の番組コンテンツの魅力が損なわれてしまうことがないようすることを目的とする。
【０３６６】
すなわち、この第７の実施形態では、圧縮ダビングモードのダビング記録後は、本編情報の前または後の区間に、少なくとも特定シーン区間の一つは残すようにする。そして、この第７の実施形態においても、特定シーン区間の情報は、特定シーン区間識別子が同じものは一つのみ記録するようにして、分離して記録すると共に、それぞれの特定シーン区間の存在位置と、対応する特定シーン区間識別子との対応データおよび各特定シーン区間の情報の記録アドレス情報を含む複製付加情報ファイルを記録するようにする。
【０３６７】
図４４は、この第７の実施形態の一例を説明するための図であり、第１の実施形態に対して、第７の実施形態を適用した場合の例である。図４４（Ａ）は、第１の記録媒体への複製元の情報信号の記録データの例を示すもので、図４（Ａ）に示したものと全く同様である。
【０３６８】
そして、図４４（Ｂ）は、第７の実施形態による圧縮ダビングを行なった後の、記録データの例を示すものである。この第７の実施形態の場合には、複製先の記録媒体への圧縮ダビング後は、図４４（Ｂ）に示すように、本編情報の前または後には、１つの特定シーン区間は残すようにする。
【０３６９】
そして、当該１つの特定シーン区間を残して記録された本編情報を含む記録情報信号の後に、この例では、当該コンテンツに挿入されている特定シーン区間の情報を、同じ特定シーン区間識別子のものは一つのみとして纏めて複製先の記録媒体に記録するようにする。
【０３７０】
そして、本編情報の前または後に挿入されていない特定シーン区間の存在位置と、その特定シーン区間識別子と、特定シーン区間の情報の記録アドレス情報との対応情報からなる複製付加情報ファイルを、ダビング記録された情報に対応付けて複製先の記録媒体に記録するようにする。なお、複製付加情報ファイルには、本編情報の前または後に挿入されている特定シーン区間の存在情報を、本編情報への挿入済みのフラグと共に、記録しておくようにしても良い。その場合には、再生時には、この挿入済みのフラグが存在しない特定シーン区間のみを、その存在位置情報に基づいて本編情報の間に、挿入するようにする。
【０３７１】
そして、この第７の実施形態においては、第５の実施形態において、ダビング指定されたコンテンツの全編のダビングが不可であるときには、纏めて記録した特定シーン区間の情報を記録しなかったときのデータ量、つまり、本編情報の前または後に１つの特定シーン区間が挿入された情報のデータ量と、空き容量とを比較して、空き容量よりも小さくなったときに、ユーザにダビング記録を実行するか否かを問い合わせて、ユーザの承認確認を得た後、圧縮ダビングを実行するようにする。
【０３７２】
この第７の実施形態によれば、圧縮ダビング記録をした後であっても、本編情報と本編情報との間には、少なくとも１つの特定シーン区間が残るので、上述した問題点を回避することができる。
【０３７３】
なお、連続して複数の特定シーン区間が本編情報の前または後に存在している場合において、本編情報の前または後に残す少なくとも一つの特定シーン区間の決定方法としては、（１）任意の一つを残す方法、（２）第１の記録媒体に記録されている付加情報ファイルを参照して、コンテンツ全体としてできるだけ異なる識別子の特定シーン区間を残すようにする方法などを採用することができる。図４４の例は、後者の（２）の場合である。
【０３７４】
なお、詳細な説明は省略するが、第７の実施形態は、第２の実施形態と第５の実施形態との組み合わせに対応した実施形態、第３の実施形態と第５の実施形態との組み合わせに対応した実施形態、第４の実施形態と第５の実施形態との組み合わせに対応した実施形態にも、同様に適用可能である。
【０３７５】
［その他の実施形態および変形例］
なお、上述の第１および第２の実施形態では、特定シーン区間の情報は、本編情報の後に続けて記録するようにしたが、本編情報の記録に先立ち、特定シーン区間の情報を、本編情報の先頭の前に記録するようにしても良い。
【０３７６】
上述の実施形態の受信部２は、地上アナログテレビ放送の受信部の場合である他、地上デジタルテレビ放送の受信部、衛星デジタルテレビ放送の受信部、ケーブルテレビ放送の受信部、インターネット配信されたテレビ放送の受信部であっても、この発明は適用可能である。
【０３７７】
また、上述の実施形態は、テレビ放送番組の記録再生の場合に、この発明を適用した場合であるが、この発明は、テレビ放送番組の記録再生に限られるわけではなく、例えばラジオ放送番組の記録再生の他、種々の情報信号の記録再生に適用可能である。
【０３７８】
また、特定シーン区間は、上述の実施形態のように、映像情報および音声情報の両方の特徴量から検出する場合のみではなく、映像情報のみの特徴量から、あるいは、音声情報の特徴量のみから検出するようにすることもできる。
【０３７９】
なお、上述の実施形態では、内蔵記録媒体を複製元の記録媒体とし、外部記録媒体を複製先の記録媒体としたが、複製元の記録媒体が外部記録媒体で、複製先の記録媒体が内蔵記録媒体であっても勿論よい。また、記録媒体を、２個以上内蔵する記録再生装置である場合には、その一つを複製元の記録媒体とし、他の一つを複製先の記録媒体とするようにすることができる。
【図面の簡単な説明】
【０３８０】
【図１】この発明による記録再生装置の第１の実施形態のハードウエア構成例を示すブロック図である。
【図２】この発明による記録再生装置の第１の実施形態を説明するために用いる図である。
【図３】この発明による記録再生装置の第１の実施形態を説明するために用いる図である。
【図４】この発明による記録再生装置の第１の実施形態によるダビング処理を説明するために用いる図である。
【図５】この発明による記録再生装置の実施形態を説明するために用いる図である。
【図６】この発明による記録再生装置の第１の実施形態における主たる処理動作を説明するためのフローチャートの一部を示す図である。
【図７】この発明による記録再生装置の第１の実施形態における主たる処理動作を説明するためのフローチャートの一部を示す図である。
【図８】この発明による記録再生装置の第１の実施形態における記録処理動作を説明するためのフローチャートである。
【図９】この発明による記録再生装置の実施形態における特定シーン区間識別子の生成処理の一例を説明するためのフローチャートである。
【図１０】この発明による記録再生装置の実施形態における特定シーン区間識別子の生成処理の一例を説明するために用いる図である。
【図１１】この発明による記録再生装置の第１の実施形態におけるダビング記録処理動作を説明するためのフローチャートの一部を示す図である。
【図１２】この発明による記録再生装置の第１の実施形態におけるダビング記録処理動作を説明するためのフローチャートの一部を示す図である。
【図１３】この発明による記録再生装置の第１の実施形態におけるダビング記録処理動作を説明するためのフローチャートの一部を示す図である。
【図１４】この発明による記録再生装置の第１の実施形態におけるダビング記録処理動作を説明するためのフローチャートの一部を示す図である。
【図１５】この発明による記録再生装置の第１の実施形態における再生処理動作を説明するためのフローチャートを示す図である。
【図１６】この発明による記録再生装置の第２の実施形態によるダビング処理を説明するために用いる図である。
【図１７】この発明による記録再生装置の第２の実施形態によるダビング処理を説明するために用いる図である。
【図１８】この発明による記録再生装置の第２の実施形態を説明するために用いる図である。
【図１９】この発明による記録再生装置の第２の実施形態を説明するために用いる図である。
【図２０】この発明による記録再生装置の第２の実施形態におけるダビング記録処理動作を説明するためのフローチャートの一部を示す図である。
【図２１】この発明による記録再生装置の第２の実施形態におけるダビング記録処理動作を説明するためのフローチャートの一部を示す図である。
【図２２】この発明による記録再生装置の第２の実施形態におけるダビング記録処理動作を説明するためのフローチャートの一部を示す図である。
【図２３】この発明による記録再生装置の第２の実施形態におけるダビング記録処理動作を説明するためのフローチャートの一部を示す図である。
【図２４】この発明による記録再生装置の第４の実施形態によるダビング処理を説明するために用いる図である。
【図２５】この発明による記録再生装置の第４の実施形態における記録処理動作を説明するためのフローチャートの一部を示す図である。
【図２６】この発明による記録再生装置の第４の実施形態における記録処理動作を説明するためのフローチャートの一部を示す図である。
【図２７】この発明による記録再生装置の第４の実施形態における記録処理動作を説明するためのフローチャートの一部を示す図である。
【図２８】この発明による記録再生装置の第４の実施形態におけるダビング記録処理動作を説明するためのフローチャートの一部を示す図である。
【図２９】この発明による記録再生装置の第４の実施形態におけるダビング記録処理動作を説明するためのフローチャートの一部を示す図である。
【図３０】この発明による記録再生装置の第４の実施形態におけるダビング記録処理動作を説明するためのフローチャートの一部を示す図である。
【図３１】この発明による記録再生装置の第４の実施形態におけるダビング記録処理動作を説明するためのフローチャートの一部を示す図である。
【図３２】この発明による記録再生装置の第５の実施形態のハードウエア構成例を示すブロック図である。
【図３３】この発明による記録再生装置の第５の実施形態におけるダビング記録処理動作を説明するためのフローチャートの一部を示す図である。
【図３４】この発明による記録再生装置の第５の実施形態におけるダビング記録処理動作を説明するためのフローチャートの一部を示す図である。
【図３５】この発明による記録再生装置の第５の実施形態におけるダビング記録処理動作を説明するためのフローチャートの一部を示す図である。
【図３６】この発明による記録再生装置の第５の実施形態におけるダビング記録時におけるユーザインターフェース画面例を示す図である。
【図３７】この発明による記録再生装置の第５の実施形態におけるダビング記録時におけるユーザインターフェース画面例を示す図である。
【図３８】この発明による記録再生装置の第６の実施形態におけるダビング記録時におけるユーザインターフェース画面例を示す図である。
【図３９】この発明による記録再生装置の第６の実施形態におけるダビング記録時におけるユーザインターフェース画面例を示す図である。
【図４０】この発明による記録再生装置の第６の実施形態におけるダビング記録時におけるユーザインターフェース画面例を示す図である。
【図４１】この発明による記録再生装置の第６の実施形態におけるダビング記録処理動作を説明するためのフローチャートの一部を示す図である。
【図４２】この発明による記録再生装置の第６の実施形態におけるダビング記録処理動作を説明するためのフローチャートの一部を示す図である。
【図４３】この発明による記録再生装置の第６の実施形態におけるダビング記録処理動作を説明するためのフローチャートの一部を示す図である。
【図４４】この発明による記録再生装置の第７の実施形態によるダビング処理を説明するために用いる図である。
【符号の説明】
【０３８１】
２…受信部、３…記録信号エンコード処理部、４…記録処理部、５…内蔵記録媒体、７…外部記録媒体、８…読み出し制御部、９…再生処理部、１０…再生デコード出力部、１２…特徴量検出部、１３…特定シーン区間検出部、１４…特定シーン区間識別子生成部、１５…特徴量記憶部、１６…付加情報ファイル処理部、２１…ユーザ入力インターフェース部、２４…表示部、２５…ダビング用ユーザインターフェース生成部２５、２６…ダビング記録データ量算出部
【図１】
2007142714.tif 000003
【図２】
2007142714.tif 000004
【図３】
2007142714.tif 000005
【図４】
2007142714.tif 000006
【図５】
2007142714.tif 000007
【図６】
2007142714.tif 000008
【図７】
2007142714.tif 000009
【図８】
2007142714.tif 000010
【図９】
2007142714.tif 000011
【図１０】
2007142714.tif 000012
【図１１】
2007142714.tif 000013
【図１２】
2007142714.tif 000014
【図１３】
2007142714.tif 000015
【図１４】
2007142714.tif 000016
【図１５】
2007142714.tif 000017
【図１６】
2007142714.tif 000018
【図１７】
2007142714.tif 000019
【図１８】
2007142714.tif 000020
【図１９】
2007142714.tif 000021
【図２０】
2007142714.tif 000022
【図２１】
2007142714.tif 000023
【図２２】
2007142714.tif 000024
【図２３】
2007142714.tif 000025
【図２４】
2007142714.tif 000026
【図２５】
2007142714.tif 000027
【図２６】
2007142714.tif 000028
【図２７】
2007142714.tif 000029
【図２８】
2007142714.tif 000030
【図２９】
2007142714.tif 000031
【図３０】
2007142714.tif 000032
【図３１】
2007142714.tif 000033
【図３２】
2007142714.tif 000034
【図３３】
2007142714.tif 000035
【図３４】
2007142714.tif 000036
【図３５】
2007142714.tif 000037
【図３６】
2007142714.tif 000038
【図３７】
2007142714.tif 000039
【図３８】
2007142714.tif 000040
【図３９】
2007142714.tif 000041
【図４０】
2007142714.tif 000042
【図４１】
2007142714.tif 000043
【図４２】
2007142714.tif 000044
【図４３】
2007142714.tif 000045
【図４４】
2007142714.tif 000046